(57)【要約】  登録情報記憶部（２１０）は、基地局の登録移動端末を示す登録情報を記憶する。接続処理部（２２０）は、登録情報記憶部（２１０）によって記憶されていない登録外移動端末からの接続要求信号に基づいて登録外移動端末の基地局への接続処理を行う。計測部（２３０）は、接続処理部（２２０）によって接続処理が行われた登録外移動端末による基地局の使用状況を計測する。送信部（２４０）は、計測部（２３０）による計測結果を他の通信装置へ送信する。
2011114497.tif 000002
【特許請求の範囲】
【請求項１】
基地局に登録された登録移動端末を示す登録情報を記憶する登録情報記憶部と、
前記登録情報記憶部によって記憶されていない登録外移動端末からの接続要求信号に基づいて前記登録外移動端末の前記基地局への接続処理を行う接続処理部と、
前記接続処理部によって接続処理が行われた登録外移動端末による前記基地局の使用状況を計測する計測部と、
前記計測部による計測結果を他の通信装置へ送信する送信部と、
を備えることを特徴とする通信装置。
【請求項２】
前記他の通信装置は、前記基地局の管理を行う事業者の通信装置であることを特徴とする請求項１に記載の通信装置。
【請求項３】
前記登録外移動端末の接続を許可する開放期間を記憶する条件記憶部を備え、
前記接続処理部は、前記条件記憶部によって記憶された開放期間とは異なる期間においては前記接続処理を行わないことを特徴とする請求項１に記載の通信装置。
【請求項４】
前記登録外移動端末の同時接続を許可する接続許可数を記憶する条件記憶部を備え、
前記接続処理部は、前記基地局へ接続中の前記登録外移動端末の数が、前記条件記憶部によって記憶された接続許可数に達している場合は前記接続処理を行わないことを特徴とする請求項１に記載の通信装置。
【請求項５】
前記条件記憶部は、期間ごとの前記接続許可数を記憶し、
前記接続処理部は、前記基地局へ接続中の前記登録外移動端末の数が、前記接続許可数のうちの現在期間に対応する接続許可数に達している場合は前記接続処理を行わないことを特徴とする請求項４に記載の通信装置。
【請求項６】
前記登録外移動端末の接続を許可する開放期間を前記登録移動端末ごとに入力する入力部と、
前記入力部によって入力された前記登録移動端末ごとの開放期間に基づいて前記期間ごとの接続許可数を決定する決定部と、を備え、
前記条件記憶部は、前記決定部によって決定された前記期間ごとの接続許可数を記憶することを特徴とする請求項５に記載の通信装置。
【請求項７】
前記登録移動端末による前記基地局の使用履歴を示す履歴情報を前記登録移動端末ごとに取得する履歴取得部と、
前記履歴取得部によって取得された前記登録移動端末ごとの履歴情報に基づいて前記期間ごとの接続許可数を決定する決定部と、を備え、
前記条件記憶部は、前記決定部によって決定された前記期間ごとの接続許可数を記憶することを特徴とする請求項５に記載の通信装置。
【請求項８】
前記接続処理部は、前記基地局の回線に空きがない場合に、前記基地局と通信中の前記登録外移動端末を他の基地局へハンドオーバさせ、前記登録移動端末の前記基地局への接続処理を行うことを特徴とする請求項１に記載の通信装置。
【請求項９】
前記接続処理部は、前記基地局の回線に空きがない場合に、前記基地局と通信中の前記登録移動端末を他の基地局へハンドオーバさせ、前記登録外移動端末の前記基地局への接続処理を行うことを特徴とする請求項１に記載の通信装置。
【請求項１０】
前記他の基地局の通信可能エリアにおける前記登録移動端末の通信品質を取得する品質取得部を備え、
前記接続処理部は、前記品質取得部によって取得された通信品質が閾値以上である場合に前記登録移動端末を前記他の基地局へハンドオーバさせることを特徴とする請求項９に記載の通信装置。
【請求項１１】
前記基地局の通信可能エリアにおける前記登録移動端末の在圏状況を示す在圏情報を取得する在圏情報取得部を備え、
前記接続処理部は、前記在圏情報取得部によって取得された在圏情報に基づいて、前記登録移動端末が前記通信可能エリアに在圏している場合は前記接続処理を行わないことを特徴とする請求項１に記載の通信装置。
【請求項１２】
前記基地局が属する位置登録エリアにおける前記登録移動端末の在圏状況を取得する在圏情報取得部を備え、
前記接続処理部は、前記在圏情報取得部によって取得された在圏情報に基づいて、前記登録移動端末が前記位置登録エリアに在圏している場合は前記接続処理を行わないことを特徴とする請求項１に記載の通信装置。
【請求項１３】
前記基地局への接続を拒否する拒否移動端末を記憶する条件記憶部を備え、
前記接続処理部は、前記条件記憶部に記憶された拒否移動端末については前記接続処理を行わないことを特徴とする請求項１に記載の通信装置。
【請求項１４】
自局の登録移動端末を示す登録情報を記憶する条件記憶部と、
前記条件記憶部によって記憶されていない登録外移動端末からの接続要求信号に基づいて前記登録外移動端末の自局への接続処理を行う接続処理部と、
前記接続処理部によって接続処理が行われた登録外移動端末による自局の使用状況を計測する計測部と、
前記計測部による計測結果を他の通信装置へ送信する送信部と、
を備えることを特徴とする基地局。
【請求項１５】
基地局に登録された登録移動端末を示す登録情報を記憶する記憶工程と、
前記記憶工程によって記憶されていない登録外移動端末からの接続要求信号に基づいて前記登録外移動端末の前記基地局への接続処理を行う接続処理工程と、
前記接続処理工程によって接続処理が行われた登録外移動端末による前記基地局の使用状況を計測する計測工程と、
前記計測工程による計測結果を他の通信装置へ送信する送信工程と、
を含むことを特徴とする通信方法。
【発明の詳細な説明】
【技術分野】
【０００１】
本発明は、通信を行う通信装置、基地局および通信方法に関する。
【背景技術】
【０００２】
近年、無線通信ネットワークの分野において、小型の無線基地局（ＢＴＳ：Ｂａｓｅ  Ｔｒａｎｓｃｅｉｖｅｒ  Ｓｔａｔｉｏｎ）であるフェムト基地局（フェムトＢＴＳ）の導入が検討されている。フェムト基地局は、たとえば、一般の住宅、商業店舗または企業などにおいて通信エリアやサービスを補完するために設置される。また、ユーザ認証データ、端末情報、暗号化情報を受信し、受信した情報に基づいてフェムト基地局に対して位置登録要求を行い、携帯端末とフェムト基地局との間の通信を制御する技術がある（たとえば、下記特許文献１参照。）。
【先行技術文献】
【特許文献】
【０００３】
【特許文献１】国際公開第２００５／０９６６５６号パンフレット
【発明の概要】
【発明が解決しようとする課題】
【０００４】
しかしながら、上述した従来技術では、フェムト基地局の普及が困難という問題がある。すなわち、フェムト基地局の導入にあたり、導入に伴う費用（本体の費用や設置費用）、ブロードバンド回線の使用料や電気代は、通信事業者ではなく、フェムト基地局の所有者が負担することが予測される。このため、フェムト基地局の導入費用および運用費用が足かせとなり、フェムト基地局が普及しないことが考えられる。【０００５】
開示の通信装置、基地局および通信方法は、上述した問題点を解消するものであり、フェムト基地局の普及を図ることを目的とする。
【課題を解決するための手段】
【０００６】
上述した課題を解決し、目的を達成するため、開示技術は、基地局に登録された登録移動端末を示す登録情報を記憶し、記憶されていない登録外移動端末からの接続要求信号に基づいて前記登録外移動端末の前記フェムト基地局への接続処理を行い、接続処理が行われた登録外移動端末による前記フェムト基地局の使用状況を計測し、計測結果を他の通信装置へ送信する。
【発明の効果】
【０００７】
開示の通信装置、基地局および通信方法によれば、フェムト基地局の普及を図ることができる。
【図面の簡単な説明】
【０００８】
【図１】実施の形態にかかる通信システムの構成例を示す図である。
【図２】実施の形態にかかる通信装置を示す図である。
【図３】登録外移動端末に対する一般開放時間の一例を示す図である。
【図４】登録移動端末ごとの一般開放時間の一例を示す図である。
【図５】登録外移動端末の接続許可数の一例を示す図である。
【図６】ユーザによる設定の一例を示すシーケンス図である。
【図７】ユーザによる設定の一例を示すシーケンス図である。
【図８】使用履歴に基づく接続許可数の決定処理の一例を示すフローチャートである。
【図９】登録移動端末の使用履歴の一例を示すグラフである。
【図１０】登録外移動端末の接続許可数の一例を示す図である。
【図１１】登録外移動端末の接続処理の一例を示すフローチャートである。
【図１２】登録外ユーザの接続許可の処理例を示すシーケンス図である。
【図１３】登録外ユーザの接続拒否の処理例を示すシーケンス図である。
【図１４−１】通信装置による競合処理の例１を示す図（その１）である。
【図１４−２】通信装置による競合処理の例１を示す図（その２）である。
【図１４−３】通信装置による競合処理の例１を示す図（その３）である。
【図１４−４】通信装置による競合処理の例１を示す図（その４）である。
【図１５】通信装置による競合処理の例１を示すフローチャートである。
【図１６】通信装置による競合処理の例１を示すシーケンス図である。
【図１７−１】通信装置による競合処理の例２を示す図（その１）である。
【図１７−２】通信装置による競合処理の例２を示す図（その２）である。
【図１７−３】通信装置による競合処理の例２を示す図（その３）である。
【図１７−４】通信装置による競合処理の例２を示す図（その４）である。
【図１８】通信装置による競合処理の例２を示すフローチャートである。
【図１９】通信装置による競合処理の例２を示すシーケンス図である。
【図２０】アクセスリストの動的変更のシーケンス図である。
【図２１】登録ユーザの在圏の有無による登録外ユーザの接続許可を示すシーケンス図である。
【図２２】登録ユーザの在圏の有無による登録外ユーザの接続許可を示すフローチャートである。
【図２３】登録外ユーザの接続許可の処理例を示すシーケンス図である。
【図２４】登録外ユーザの接続拒否の処理例を示すシーケンス図である。
【発明を実施するための形態】
【０００９】
以下に図面を参照して、この通信装置、基地局および通信方法の好適な実施の形態を詳細に説明する。この通信装置、基地局および通信方法は、登録外移動端末によるフェムト基地局の使用状況を計測して計測結果を送信することで、登録外移動端末によるフェムト基地局の使用状況に応じたユーザへの還元を可能にし、フェムト基地局の普及を図る。
【００１０】
（実施の形態）
（通信システムの構成）
図１は、実施の形態にかかる通信システムの構成例を示す図である。図１に示すように、実施の形態にかかる通信システム１００は、フェムト基地局１１０と、登録移動端末１２１と、登録外移動端末１２２と、ゲートウェイ１３０と、コアネットワーク１４０と、ＣＮ側通信装置１４１と、事業者通信装置１４２を含む。フェムト基地局１１０およびゲートウェイ１３０は、たとえば同一の屋内に設けられる。ここでは基地局としてフェムト基地局１１０を例示するが、フェムト基地局１１０に代えて他の基地局としてもよい。
【００１１】
フェムト基地局１１０は、フェムトセル１１１を周辺に形成する。そして、フェムト基地局１１０は、フェムトセル１１１に在圏する登録移動端末１２１や登録外移動端末１２２との間で無線通信を行う。また、フェムト基地局１１０はゲートウェイ１３０に接続されている。フェムト基地局１１０は、ゲートウェイ１３０を介して、登録移動端末１２１や登録外移動端末１２２とコアネットワーク１４０との間の通信を中継する。
【００１２】
フェムト基地局１１０は、登録移動端末１２１や登録外移動端末１２２からの接続要求信号（位置登録要求信号）を受信すると、コアネットワーク１４０上のＣＮ側通信装置１４１に問い合わせ（契約情報判定）を行う。そして、フェムト基地局１１０は、ＣＮ側通信装置１４１から接続許可の信号を受信すると、登録移動端末１２１や登録外移動端末１２２とコアネットワーク１４０との間の通信の中継を開始する。
【００１３】
登録移動端末１２１および登録外移動端末１２２は、携帯電話や携帯型情報端末などの無線通信が可能な移動端末（ＵＥ：Ｕｓｅｒ  Ｅｑｕｉｐｍｅｎｔ）である。登録移動端末１２１および登録外移動端末１２２は、フェムトセル１１１に在圏している場合はフェムト基地局１１０との間で無線通信を行うことができる。また、登録移動端末１２１および登録外移動端末１２２は、図示しないマクロ基地局のマクロセルに在圏している場合はマクロ基地局との間で無線通信を行うことができる。
【００１４】
登録移動端末１２１は、フェムト基地局１１０のアクセスリストに登録されている移動端末である。たとえば、登録移動端末１２１は、フェムト基地局１１０の所有者の移動端末や、フェムト基地局１１０の所有者の関係者の移動端末である。登録外移動端末１２２は、フェムト基地局１１０のアクセスリストに登録されていない移動端末である。たとえば、登録外移動端末１２２は、フェムト基地局１１０の所有者と特定の関係を有さない不特定者の移動端末である。登録移動端末１２１および登録外移動端末１２２のそれぞれは複数存在してもよい。
【００１５】
ゲートウェイ１３０は、フェムト基地局１１０とコアネットワーク１４０との間のゲートウェイである。ゲートウェイ１３０は、たとえばＨＮＢ−ＧＷ（Ｈｏｍｅ  ＮｏｄｅＢ−ＧａｔｅＷａｙ）である。または、ゲートウェイ１３０は、ＨｅＮＢ−ＧＷ（Ｈｏｍｅ  ｅｎｈａｎｃｅｄ  ＮｏｄｅＢ−ＧａｔｅＷａｙ）でもよい。
【００１６】
コアネットワーク１４０は、インターネットなどの基幹ネットワークである。ＣＮ側通信装置１４１は、コアネットワーク１４０上の通信装置である。事業者通信装置１４２は、コアネットワーク１４０上の通信装置であり、フェムト基地局１１０の管理を行う事業者の通信装置である。
【００１７】
図２は、実施の形態にかかる通信装置を示す図である。図２に示すように、実施の形態にかかる通信装置２００は、登録情報記憶部２１０と、接続処理部２２０と、計測部２３０と、送信部２４０と、を備えている。また、通信装置２００は、条件記憶部２５０と、決定部２６０と、をさらに備えていてもよい。
【００１８】
通信装置２００は、たとえば図１に示したゲートウェイ１３０やＣＮ側通信装置１４１などの、フェムト基地局１１０と通信可能な通信装置に適用することができる。実施の形態においては、通信装置２００をＣＮ側通信装置１４１に適用する構成について説明する。ただし、通信装置２００をゲートウェイ１３０に適用する構成としても同様の機能を実現することができる。
【００１９】
登録情報記憶部２１０は、フェムト基地局１１０のアクセスリストを記憶する。アクセスリストは、フェムト基地局１１０の登録移動端末を示す登録情報である。たとえば、アクセスリストは、登録移動端末の識別情報のリストである。登録移動端末の識別情報は、たとえば登録移動端末のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である。図１に示した登録移動端末１２１は、登録情報記憶部２１０に記憶されたアクセスリストに登録されている。また、図１に示した登録外移動端末１２２は、登録情報記憶部２１０に記憶されたアクセスリストに登録されていない。
【００２０】
接続処理部２２０は、登録移動端末１２１や登録外移動端末１２２からの接続要求信号に基づいて、登録移動端末１２１や登録外移動端末１２２のフェムト基地局１１０への接続処理を行う。接続処理部２２０は、たとえばフェムト基地局１１０を介して、登録移動端末１２１や登録外移動端末１２２からの接続要求信号を取得する。接続処理部２２０は、フェムト基地局１１０への接続処理を行った登録外移動端末１２２を計測部２３０へ通知する。
【００２１】
計測部２３０は、接続処理部２２０から通知された登録外移動端末１２２によるフェムト基地局１１０の使用状況を計測する。フェムト基地局１１０の使用状況は、具体的には、フェムト基地局１１０を経由して行う通信の多さである。たとえば、フェムト基地局１１０の使用状況は、パケット量や通信時間である。また、登録外移動端末１２２が複数存在する場合は、フェムト基地局１１０の使用状況は、フェムト基地局１１０を経由して通信を行った登録外移動端末１２２の数などでもよい。
【００２２】
計測部２３０による計測は、たとえば、登録外移動端末１２２の呼の開始や、登録外移動端末１２２の他のセルからのフェムトセル１１１へのハンドオーバ（Ｈａｎｄ  Ｉｎ）を契機として開始される。また、計測部２３０による計測は、たとえば、登録外移動端末１２２の呼の終了や、登録外移動端末１２２のフェムトセル１１１からの他のセルへのハンドオーバ（Ｈａｎｄ  Ｏｕｔ）を契機として終了する。
【００２３】
たとえば、計測部２３０は、フェムト基地局１１０の使用状況を、フェムト基地局１１０やゲートウェイ１３０から受信する情報により計測する。計測部２３０は、計測結果を送信部２４０へ出力する。たとえば、計測部２３０は、登録外移動端末１２２がフェムト基地局１１０を経由して通信を行うごとに計測結果を出力する。または、計測部２３０は、計測結果を記憶しておき、計測結果を所定のタイミングでまとめて出力してもよい。
【００２４】
送信部２４０は、計測部２３０から出力された計測結果を他の通信装置へ送信する。計測結果の送信先の通信装置は、たとえば、事業者通信装置１４２である。これにより、フェムト基地局１１０の管理を行う事業者が、登録外移動端末１２２によるフェムト基地局１１０の使用状況の情報を得ることができる。
【００２５】
このように、通信システム１００によれば、登録外移動端末１２２のフェムト基地局１１０への接続を許可するとともに、登録外移動端末１２２によるフェムト基地局１１０の使用状況を計測して計測結果を送信することができる。これにより、登録外移動端末１２２によるフェムト基地局１１０の使用状況に応じて、フェムト基地局１１０の所有者への還元が可能になり、フェムト基地局１１０の普及を図ることができる。
【００２６】
たとえば、事業者通信装置１４２へ計測結果を送信することで、フェムト基地局１１０の管理を行う事業者からフェムト基地局１１０の所有者への還元を行うことが可能になる。所有者への還元には、金銭の譲渡やフェムト基地局１１０の利用料金の割引など種々の形態が考えられる。たとえば、フェムト基地局１１０の貢献度として、登録外移動端末１２２のフェムト基地局１１０による通信について、（伝送したパケット量）×Ａ＋（通信時間）×Ｂ＋（登録外移動端末１２２の数）×Ｃを算出し、算出結果に応じた還元を行う。Ａ，Ｂ，Ｃは任意の係数である。
【００２７】
条件記憶部２５０は、登録外移動端末１２２のフェムト基地局１１０への接続を許可する条件を記憶する。接続処理部２２０は、たとえば条件記憶部２５０に記憶された条件に基づいて、登録外移動端末１２２のフェムト基地局１１０への接続処理を行うか否かを判断する。決定部２６０は、登録外移動端末１２２のフェムト基地局１１０への接続を許可する条件を決定して条件記憶部２５０に記憶させる。
【００２８】
（通信装置のハードウェア構成）
図２に示した登録情報記憶部２１０および条件記憶部２５０は、通信装置２００が備えるメモリによって実現することができる。登録情報記憶部２１０および条件記憶部２５０は、同一のメモリによって実現してもよいし、それぞれ別のメモリによって実現してもよい。接続処理部２２０、計測部２３０および送信部２４０は、たとえばＤＳＰ（Ｄｉｇｉｔａｌ  Ｓｉｇｎａｌ  Ｐｒｏｃｅｓｓｏｒ）などの演算手段および通信インターフェースによって実現することができる。
【００２９】
（通信システムの事前設定）
つぎに、登録外移動端末１２２のフェムト基地局１１０への接続を許可する条件の設定について説明する。登録外移動端末１２２のフェムト基地局１１０への接続を許可する条件の設定は、たとえばフェムト基地局１１０の運用前に行われる。
【００３０】
＜ユーザ設定に基づく設定例１＞
図３は、登録外移動端末に対する一般開放時間の一例を示す図である。図２に示した条件記憶部２５０には、たとえば図３に示すテーブル３００が記憶される。テーブル３００においては、移動端末識別子とフェムト基地局番号と一般開放時間とが含まれている。移動端末識別子は、登録移動端末１２１の識別情報（たとえばＩＭＳＩ）である。
【００３１】
フェムト基地局番号は、フェムト基地局１１０の識別情報である。一般開放時間は、登録外移動端末１２２の接続を許可する開放期間を示す情報である。一般開放時間は、たとえば通信装置２００の入力部（不図示）によってユーザから入力されて条件記憶部２５０に記憶される。接続処理部２２０は、一般開放時間（９：００〜１８：００）においては登録外移動端末１２２のフェムト基地局１１０への接続処理を行う。一方、接続処理部２２０は、一般開放時間とは異なる期間（時間帯１８：００〜９：００）においては登録外移動端末１２２のフェムト基地局１１０への接続処理を行わない。
【００３２】
これにより、一般開放時間以外の期間においては、登録移動端末１２１の回線を確保し、登録移動端末１２１がフェムト基地局１１０へ接続できない状況を回避することができる。このため、登録移動端末１２１のユーザの利便性を維持することができる。たとえば、登録移動端末１２１のユーザは、フェムト基地局１１０を使用する頻度が低い時間帯を一般開放時間に設定することで、自身の利便性を維持しつつ、登録外移動端末１２２に対してフェムト基地局１１０を使用させることができる。
【００３３】
ここでは、登録外移動端末１２２の接続を許可する開放期間として一般開放時間を例示した。ただし、登録外移動端末１２２の接続を許可する開放期間は、時間帯に限らず、日単位（たとえば曜日ごと）や月単位などの期間であってもよい（以下の説明においても同様）。たとえば、一般開放時間を平日（月曜日から金曜日）に設定してもよい。これにより、平日においては登録外移動端末１２２に対してフェムト基地局１１０を使用させるとともに、休日においては登録移動端末１２１の回線を確保することができる。
【００３４】
＜ユーザ設定に基づく設定例２＞
図４は、登録移動端末ごとの一般開放時間の一例を示す図である。通信装置２００のメモリには、たとえば図４に示すテーブル４００が記憶される。テーブル４００においては、移動端末識別子ごとに、フェムト基地局番号と一般開放時間とが対応付けられている。なお、それぞれのフェムト基地局番号は、フェムト基地局１１０の番号であるため同じ番号である。移動端末識別子ごとの一般開放時間は、たとえば通信装置２００の入力部（不図示）によってユーザから入力されて通信装置２００のメモリに記憶される。
【００３５】
図５は、登録外移動端末の接続許可数の一例を示す図である。図５に示すテーブル５００は、決定部２６０によって決定された時間帯ごとの接続許可数の一例である。通信装置２００の決定部２６０は、通信装置２００のメモリに記憶された移動端末識別子ごとの一般開放時間（図４参照）と、フェムト基地局１１０の仕様上の最大同時接続数と、に基づいて、登録外移動端末１２２への接続許可数を時間帯ごとに決定する。
【００３６】
フェムト基地局１１０の仕様上の最大同時接続数は、たとえば通信装置２００のメモリにあらかじめ記憶されていてもよいし、最大同時接続数を示す情報をフェムト基地局１１０から受信してもよい。たとえば、通信装置２００の決定部２６０は、フェムト基地局１１０の仕様上の最大同時接続数αから、対応する時間帯に一般開放時間が設定されていない登録移動端末１２１の数を減算することにより時間帯ごとの接続許可数を決定する。
【００３７】
具体的には、時間帯０：００〜９：００は、３つの登録移動端末１２１において一般開放時間が設定されていない（図４参照）。このため、時間帯０：００〜９：００の接続許可数は「α−３」になる。また、時間帯９：００〜１５：００は、１つの登録移動端末１２１（ｘｘｘｘｙｙｙｃｃｃ）において一般開放時間が設定されていない（図４参照）。このため、時間帯９：００〜１５：００の接続許可数は「α−１」になる。
【００３８】
また、時間帯１５：００〜１８：００は、２つの登録移動端末１２１（ｘｘｘｘｙｙｙｂｂｂ，ｘｘｘｘｙｙｙｃｃｃ）において一般開放時間が設定されていない（図４参照）。このため、時間帯１５：００〜１８：００の接続許可数は「α−２」になる。また、時間帯１８：００〜２４：００は、３つの登録移動端末１２１のすべてにおいて一般開放時間が設定されていない（図４参照）ため、時間帯１８：００〜２４：００の接続許可数は「α−３」になる。
【００３９】
このように、登録移動端末１２１ごとの一般開放時間に基づいて時間帯ごとの接続許可数を決定することができる。そして、接続処理部２２０は、フェムト基地局１１０へ接続中の登録外移動端末１２２の数が、現在期間の接続許可数に達している場合は、他の登録外移動端末１２２からの接続要求信号を受信しても接続処理を行わない。また、接続処理部２２０は、フェムト基地局１１０へ接続中の登録外移動端末１２２の数が、現在期間の接続許可数に達していない場合は、他の登録外移動端末１２２からの接続要求信号を受信した場合に接続処理を行う。
【００４０】
これにより、登録移動端末１２１の回線を確保し、登録移動端末１２１がフェムト基地局１１０へ接続できない状況を回避することができる。このため、登録移動端末１２１のユーザの利便性を維持することができる。また、フェムトセル１１１を使用する登録移動端末１２１の数が少ない時間帯においては、より多くの登録外移動端末１２２に対してフェムト基地局１１０を使用させることができる。
【００４１】
なお、ここでは、１日の時間帯を時間帯０：００〜９：００、時間帯９：００〜１５：００、時間帯１５：００〜１８：００および時間帯１８：００〜２４：００に分割した各時間帯ごとに登録外移動端末１２２の接続許可数を決定する場合について説明した。ただし、時間帯の分割方法はこれに限らず、たとえば１時間ごとに分割した各時間帯ごとに登録外移動端末１２２の接続許可数を決定してもよい（以下の説明においても同様）。
【００４２】
図６は、ユーザによる設定の一例を示すシーケンス図である。図６に示すユーザ６１０は、たとえばフェムト基地局１１０の所有者である。まず、ユーザ６１０は、通信装置２００に対して設定コマンドを入力する（ステップＳ６０１）。つぎに、通信装置２００が、ユーザ６１０に対して一般開放時間の入力画面を表示する（ステップＳ６０２）。つぎに、ユーザ６１０が、ステップＳ６０２によって表示された入力画面に対して一般開放時間を入力する（ステップＳ６０３）。
【００４３】
つぎに、通信装置２００が、ステップＳ６０３によって入力された一般開放時間を記憶し（ステップＳ６０４）、一連の処理を終了する。以上の各ステップにより、通信装置２００の条件記憶部２５０に一般開放時間（図３）が記憶される。また、ステップＳ６０３においては、登録移動端末１２１ごとの一般開放時間が入力されてもよい。この場合は、登録移動端末１２１ごとの一般開放時間（図４参照）が通信装置２００のメモリに記憶される。そして、通信装置２００は、ステップＳ６０４の後に、時間帯ごとの接続許可数（図５参照）を決定して条件記憶部２５０に記憶する。
【００４４】
以上の各ステップは、たとえばユーザ６１０が通信装置２００を直接操作することによって行われる。または、以上の各ステップは、ユーザ６１０がパソコンなどの設定端末を用いて通信装置２００に接続することによって行われてもよい。また、以上の各ステップは、たとえばフェムト基地局１１０の電源を入れたときに行われる。ただし、以上の各ステップは、フェムト基地局１１０の電源を入れたときに限らず、ユーザ６１０の任意のタイミングで行えるようにしてもよい。
【００４５】
＜ユーザ設定に基づく設定例３＞
図７は、ユーザによる設定の一例を示すシーケンス図である。まず、ユーザ６１０は、通信装置２００に対して設定コマンドを入力する（ステップＳ７０１）。つぎに、通信装置２００が、ユーザ６１０に対して、フェムト基地局１１０の仕様上の最大同時接続数と、フェムト基地局１１０のアクセスリストの登録数と、の入力画面を表示する（ステップＳ７０２）。つぎに、ユーザ６１０が、ステップＳ７０２によって表示された入力画面に対して、フェムト基地局１１０の仕様上の最大同時接続数と、フェムト基地局１１０のアクセスリストの登録数と、を入力する（ステップＳ７０３）。
【００４６】
つぎに、通信装置２００が、ステップＳ７０３によって入力された最大同時接続数とアクセスリスト登録数とに基づいて登録外移動端末１２２の接続許可数を決定する（ステップＳ７０４）。たとえば、通信装置２００は、フェムト基地局１１０の仕様上の最大同時接続数αから、フェムト基地局１１０のアクセスリストの登録数Ｘを引いた数α−Ｘを登録外移動端末１２２の接続許可数として決定する。
【００４７】
つぎに、通信装置２００は、ステップＳ７０４によって決定された登録外移動端末１２２の接続許可数を記憶し（ステップＳ７０５）、一連の処理を終了する。ここでは、ステップＳ７０３においてフェムト基地局１１０のアクセスリストの登録数を入力する場合について説明したが、通信装置２００は、フェムト基地局１１０のアクセスリストから登録数を自動的に取得するようにしてもよい。
【００４８】
これにより、登録外移動端末１２２の接続許可数が条件記憶部２５０に記憶される。この場合は、接続処理部２２０は、現在期間にかかわらず、フェムト基地局１１０へ接続中の登録外移動端末１２２の数が接続許可数に達している場合は、他の登録外移動端末１２２からの接続要求信号を受信しても接続処理を行わない。また、接続処理部２２０は、フェムト基地局１１０へ接続中の登録外移動端末１２２の数が接続許可数に達していない場合は、他の登録外移動端末１２２からの接続要求信号を受信した場合に接続処理を行う。
【００４９】
＜登録移動端末の使用履歴に基づく一般開放時間の設定＞
図８は、使用履歴に基づく接続許可数の決定処理の一例を示すフローチャートである。通信装置２００は、たとえば以下の各ステップを実行する。まず、所定期間（１週間、１ヶ月または３ヶ月等）を計時するタイマを設定する（ステップＳ８０１）。つぎに、フェムト基地局１１０への登録移動端末１２１の接続数を取得する（ステップＳ８０２）。
【００５０】
つぎに、ステップＳ８０１によって設定したタイマが満了したか否かを判断する（ステップＳ８０３）。タイマが満了していない場合（ステップＳ８０３：Ｎｏ）は、ステップＳ８０２へ戻る。タイマが満了した場合（ステップＳ８０３：Ｙｅｓ）は、ステップＳ８０２によって取得された接続数に基づいて、時間帯ごとの登録外移動端末１２２の接続許可数を決定し（ステップＳ８０４）、ステップＳ８０１へ戻る。
【００５１】
ステップＳ８０４においては、通信装置２００は、ステップＳ８０２によって取得された接続数に基づいて、フェムト基地局１１０への登録移動端末１２１の接続数の時間ごとの平均値を算出する。そして、通信装置２００は、算出した時間ごとの平均値に基づいて、時間帯ごとの登録外移動端末１２２の接続許可数を決定する。
【００５２】
なお、以上の各ステップを実行する前における時間帯ごとの登録外移動端末１２２の接続許可数は、たとえば、フェムト基地局１１０の仕様上の最大同時接続数から登録移動端末１２１の数を引いた数とする。これにより、以上の各ステップを実行する前において、登録移動端末１２１の回線を確実に確保することができる。
【００５３】
図９は、登録移動端末の使用履歴の一例を示すグラフである。図９において横軸は時間を示している。縦軸はフェムト基地局１１０への登録移動端末１２１の接続数を示している。図９は、図８に示したステップＳ８０４において算出された、フェムト基地局１１０への登録移動端末１２１の接続数の時間ごとの平均値（使用履歴）を示している。
【００５４】
図１０は、登録外移動端末の接続許可数の一例を示す図である。図１０に示すテーブル１０００は、図９に示した登録移動端末１２１によるフェムト基地局１１０の使用履歴に基づいて通信装置２００が決定した、登録外移動端末１２２の接続許可数を示している。ここでは、フェムト基地局１１０の仕様上の最大同時接続数α＝を４としている。
【００５５】
たとえば、時間帯０：００〜９：００（期間Ｔ１）においては、フェムト基地局１１０への登録移動端末１２１の接続数が最大で３である。このため、時間帯０：００〜９：００における登録外移動端末１２２の接続許可数は、フェムト基地局１１０の仕様上の最大同時接続数α（＝４）から３を引いた１となる。
【００５６】
時間帯９：００〜１５：００（期間Ｔ２）においては、フェムト基地局１１０への登録移動端末１２１の接続数が最大で１である。このため、時間帯９：００〜１５：００における登録外移動端末１２２の接続許可数は、フェムト基地局１１０の仕様上の最大同時接続数α（＝４）から１を引いた３となる。
【００５７】
時間帯１５：００〜１８：００（期間Ｔ３）においては、フェムト基地局１１０への登録移動端末１２１の接続数が最大で２である。このため、時間帯１５：００〜１８：００における登録外移動端末１２２の接続許可数は、フェムト基地局１１０の仕様上の最大同時接続数α（＝４）から２を引いた２となる。
【００５８】
時間帯１８：００〜２４：００（期間Ｔ４）においては、フェムト基地局１１０への登録移動端末１２１の接続数が最大で３である。このため、時間帯１８：００〜２４：００における登録外移動端末１２２の接続許可数は、フェムト基地局１１０の仕様上の最大同時接続数α（＝４）から３を引いた１となる。
【００５９】
このように、通信システム１００は、フェムト基地局１１０の使用履歴を示す履歴情報を登録移動端末１２１ごとに取得し、登録移動端末１２１ごとの履歴情報に基づいて期間ごとの登録外移動端末１２２の接続許可数を決定してもよい。これにより、登録移動端末１２１によるフェムト基地局１１０の使用状況に応じて期間ごとの登録外移動端末１２２の接続許可数を自動的に決定することができる。
【００６０】
（フェムト基地局が運用中の処理）
＜登録外ユーザの接続処理＞
図１１は、登録外移動端末の接続処理の一例を示すフローチャートである。通信装置２００は、登録外移動端末１２２の接続処理として、たとえば以下の各ステップを実行する。まず、接続要求信号を受信したか否かを判断し（ステップＳ１１０１）、接続要求信号を受信するまで待つ（ステップＳ１１０１：Ｎｏのループ）。
【００６１】
ステップＳ１１０１において接続要求信号を受信すると（ステップＳ１１０１：Ｙｅｓ）、受信した接続要求信号の送信元が登録移動端末１２１であるか否かを判断する（ステップＳ１１０２）。登録移動端末１２１である場合（ステップＳ１１０２：Ｙｅｓ）は、登録移動端末１２１のフェムト基地局１１０への接続処理を行い（ステップＳ１１０３）、一連の処理を終了する。
【００６２】
ステップＳ１１０２において、受信した接続要求信号の送信元が登録外移動端末１２２である場合（ステップＳ１１０２：Ｎｏ）は、現在が一般開放時間（たとえば図３参照）か否かを判断する（ステップＳ１１０４）。一般開放時間でない場合（ステップＳ１１０４：Ｎｏ）は、登録外移動端末１２２の接続拒否処理を行い（ステップＳ１１０５）、一連の処理を終了する。
【００６３】
ステップＳ１１０４において一般開放時間である場合（ステップＳ１１０４：Ｙｅｓ）は、登録外移動端末１２２のフェムト基地局１１０への接続処理を行う（ステップＳ１１０６）。つぎに、ステップＳ１１０６により接続処理を行った登録外移動端末１２２によるフェムト基地局１１０の使用状況を計測する（ステップＳ１１０７）。つぎに、ステップＳ１１０７の計測結果を記憶し（ステップＳ１１０８）、一連の処理を終了する。
【００６４】
以上の各ステップにより、一般開放時間においては登録外移動端末１２２のフェムト基地局１１０への接続処理を行い、一般開放時間でない時間においては登録外移動端末１２２の接続処理を行わないようにすることができる。また、登録外移動端末１２２のフェムト基地局１１０への接続処理を行った場合に、登録外移動端末１２２によるフェムト基地局１１０の使用状況を計測して記憶することができる。通信装置２００は、記憶した計測結果を所定のタイミングで他の通信装置へ送信する。
【００６５】
図１２は、登録外ユーザの接続許可の処理例を示すシーケンス図である。まず、登録外移動端末１２２がフェムト基地局１１０との間でＲＲＣ接続（Ｒａｄｉｏ  Ｒｅｓｏｕｒｃｅ  Ｃｏｎｔｒｏｌ  Ｃｏｎｎｅｃｔｉｏｎ）を確立する（ステップＳ１２０１）。つぎに、登録外移動端末１２２が接続要求信号（ＬＵ  ＲＥＱＵＥＳＴ）を送信する（ステップＳ１２０２）。ステップＳ１２０２によって送信された接続要求信号は、フェムト基地局１１０およびゲートウェイ１３０を介してＣＮ側通信装置１４１へ送信される。
【００６６】
つぎに、ＣＮ側通信装置１４１が、フェムト基地局１１０のアクセスリストに登録外移動端末１２２が登録されているか否かを判断する（ステップＳ１２０３）。ここでは、ＣＮ側通信装置１４１は、フェムト基地局１１０のアクセスリストに登録外移動端末１２２が登録されていないと判断する（登録なし）。
【００６７】
つぎに、ＣＮ側通信装置１４１が、現在が一般開放時間（たとえば図３参照）か否かを判断する（ステップＳ１２０４）。ここでは、現在が一般開放時間である（一般開放時間内）場合について説明する。つぎに、ＣＮ側通信装置１４１が、認証暗号化要求信号（Ａｕｔｈｅｎｔｉｃａｔｉｏｎ  ａｎｄ  Ｃｉｐｈｅｒｉｎｇ  Ｒｅｑｕｅｓｔ）を送信する（ステップＳ１２０５）。認証暗号化要求信号は、ゲートウェイ１３０およびフェムト基地局１１０を介して登録外移動端末１２２へ送信される。
【００６８】
つぎに、登録外移動端末１２２が、コアネットワーク１４０との間の通信を開始する（ステップＳ１２０６）。つぎに、ＣＮ側通信装置１４１が、登録外移動端末１２２による登録外移動端末１２２の使用状況の計測を開始し（ステップＳ１２０７）、一連の処理を終了する。ステップＳ１２０７においては、ＣＮ側通信装置１４１は、ステップＳ１２０６によって開始された通信の通信量の計測を開始する。
【００６９】
ここでは、ステップＳ１２０６において、登録外移動端末１２２がコアネットワーク１４０との間の通信を開始する場合について説明したが、登録外移動端末１２２の通信先はコアネットワーク１４０に限らない。たとえば、登録外移動端末１２２の通信先は、ゲートウェイ１３０と同一のＬＡＮ内の他の通信装置でもよい。
【００７０】
図１３は、登録外ユーザの接続拒否の処理例を示すシーケンス図である。図１３に示すステップＳ１３０１〜Ｓ１３０４は、図１２に示したステップＳ１２０１〜Ｓ１２０４と同様であるため説明を省略する。ただし、ここでは、ステップＳ１３０４において、現在が一般開放時間でない（一般開放時間外）と判断された場合について説明する。
【００７１】
この場合は、ステップＳ１３０４のつぎに、ＣＮ側通信装置１４１が、呼解放コマンドを送信する（ステップＳ１３０５）。ステップＳ１３０５によって送信された呼解放コマンドは、ゲートウェイ１３０を介してフェムト基地局１１０へ送信される。つぎに、フェムト基地局１１０が、ステップＳ１３０１によって登録外移動端末１２２との間で確立したＲＲＣ接続を解放し（ステップＳ１３０６）、一連の処理を終了する。
【００７２】
（登録移動端末と登録外移動端末の競合処理）
つぎに、フェムト基地局１１０の回線に空き（最大同時接続数α−現在の接続数）がない状態において登録移動端末１２１または登録外移動端末１２２から接続要求信号が送信された場合の競合処理について説明する。
【００７３】
＜競合処理の例１＞
図１４−１〜図１４−４は、通信装置による競合処理の例１を示す図である。図１４−１〜図１４−４において、マクロ基地局１４０１は、フェムト基地局１１０の付近に設置されたマクロ基地局である。マクロ基地局１４０１は、マクロセル１４０２を周辺に形成する。そして、マクロ基地局１４０１は、マクロセル１４０２に在圏する移動端末（たとえば登録移動端末１２１や登録外移動端末１２２）との間で無線通信を行う。
【００７４】
まず、図１４−１に示すように、登録外移動端末１２２が、フェムトセル１１１へ進入し、フェムト基地局１１０を介して通信装置２００へ接続要求信号を送信したとする（符号１４１１）。つぎに、図１４−２に示すように、通信装置２００が、フェムト基地局１１０を介して登録外移動端末１２２の接続を許可する（符号１４２１）。
【００７５】
これにより、図１４−３に示すように、登録外移動端末１２２がフェムト基地局１１０との間で通信中の状態になる（符号１４３１）。この状態において、登録移動端末１２１がフェムト基地局１１０のフェムトセル１１１へ進入し（符号１４３２）、フェムト基地局１１０を介して通信装置２００へ接続要求信号を送信したとする（符号１４３３）。この場合において、フェムト基地局１１０の回線に空きがなかったとする。
【００７６】
この場合は、図１４−４に示すように、通信装置２００は、フェムト基地局１１０と通信中の登録外移動端末１２２をマクロ基地局１４０１へハンドオーバさせる（符号１４４１）。そして、通信装置２００は、登録移動端末１２１のフェムト基地局１１０への接続処理を行う。これにより、登録移動端末１２１がフェムト基地局１１０との間で通信中の状態になる（符号１４４２）。
【００７７】
このように、通信装置２００は、登録移動端末１２１からの接続要求信号の受信時にフェムト基地局１１０の回線に空きがない場合に、フェムト基地局１１０と通信中の登録外移動端末１２２をマクロ基地局１４０１へ強制的にハンドオーバさせる。そして、通信装置２００は、登録移動端末１２１のフェムト基地局１１０への接続処理を行う。
【００７８】
これにより、登録移動端末１２１の回線を確保し、登録移動端末１２１がフェムト基地局１１０へ接続できない状況を回避することができる。このため、登録移動端末１２１のユーザの利便性を維持することができる。
【００７９】
図１５は、通信装置による競合処理の例１を示すフローチャートである。通信装置２００は、登録移動端末１２１と登録外移動端末１２２の競合処理として、たとえば以下の各ステップを実行する。まず、接続要求信号を受信したか否かを判断し（ステップＳ１５０１）、接続要求信号を受信するまで待つ（ステップＳ１５０１：Ｎｏのループ）。
【００８０】
ステップＳ１５０１において接続要求信号を受信すると（ステップＳ１５０１：Ｙｅｓ）、受信した接続要求信号の送信元が登録移動端末１２１であるか否かを判断する（ステップＳ１５０２）。登録移動端末１２１である場合（ステップＳ１５０２：Ｙｅｓ）は、フェムト基地局１１０の回線（最大同時接続数α−現在の接続数）に空きがあるか否かを判断する（ステップＳ１５０３）。
【００８１】
ステップＳ１５０３においてフェムト基地局１１０の回線に空きがある場合（ステップＳ１５０３：Ｙｅｓ）は、登録移動端末１２１のフェムト基地局１１０への接続処理を行い（ステップＳ１５０４）、一連の処理を終了する。フェムト基地局１１０の回線に空きがない場合（ステップＳ１５０３：Ｎｏ）は、フェムト基地局１１０と通信中の登録外移動端末１２２があるか否かを判断する（ステップＳ１５０５）。
【００８２】
ステップＳ１５０５において、フェムト基地局１１０と通信中の登録外移動端末１２２がない場合（ステップＳ１５０５：Ｎｏ）は、登録移動端末１２１の接続拒否処理を行い（ステップＳ１５０６）、一連の処理を終了する。フェムト基地局１１０と通信中の登録外移動端末１２２がある場合（ステップＳ１５０５：Ｙｅｓ）は、フェムト基地局１１０と通信中の登録外移動端末１２２をマクロ基地局１４０１にハンドオーバさせ（ステップＳ１５０７）、ステップＳ１５０４へ移行する。
【００８３】
ステップＳ１５０２において、接続要求信号の送信元が登録外移動端末１２２である場合（ステップＳ１５０２：Ｎｏ）は、ステップＳ１５０８へ移行する。図１５に示すステップＳ１５０８〜Ｓ１５１２は、図１１に示したステップＳ１１０４〜Ｓ１１０８と同様であるため説明を省略する。
【００８４】
以上の各ステップにより、登録移動端末１２１からの接続要求信号の受信時にフェムト基地局１１０の回線に空きがない場合に、フェムト基地局１１０と通信中の登録外移動端末１２２をマクロ基地局１４０１へ強制的にハンドオーバさせることができる。
【００８５】
図１６は、通信装置による競合処理の例１を示すシーケンス図である。まず、登録外移動端末１２２が、フェムト基地局１１０を経由してコアネットワーク１４０との間で通信中であるとする（ステップＳ１６０１）。つぎに、登録移動端末１２１が、接続要求信号（ＬＵ  ＲＥＱＵＥＳＴ）を送信する（ステップＳ１６０２）。ステップＳ１６０２によって送信された接続要求信号は、フェムト基地局１１０およびゲートウェイ１３０を介してＣＮ側通信装置１４１へ送信される。
【００８６】
つぎに、ＣＮ側通信装置１４１が、フェムト基地局１１０のアクセスリストに登録移動端末１２１が登録されているか否かを判断する（ステップＳ１６０３）。ここでは、フェムト基地局１１０のアクセスリストに登録外移動端末１２２が登録されていると判断される（登録あり）。つぎに、ＣＮ側通信装置１４１が、フェムト基地局１１０の回線に空きがあるか否かを判断する（ステップＳ１６０４）。ここでは、回線に空きがないと判断された場合について説明する（空きなし）。
【００８７】
つぎに、ＣＮ側通信装置１４１が、フェムト基地局１１０と通信中の登録外移動端末１２２があるか否かを判断する（ステップＳ１６０５）。ここでは、フェムト基地局１１０と通信中の登録外移動端末１２２があると判断される（あり）。つぎに、ＣＮ側通信装置１４１が、ハンドオーバ指示信号を送信（ＲＥＬＯＣＡＴＩＯＮ）する（ステップＳ１６０６）。ハンドオーバ指示信号は、ゲートウェイ１３０およびフェムト基地局１１０を介して登録外移動端末１２２へ送信される。
【００８８】
つぎに、登録外移動端末１２２が、フェムト基地局１１０からマクロ基地局１４０１へハンドオーバする（ステップＳ１６０７）。つぎに、ＣＮ側通信装置１４１が認証暗号化要求信号を送信する（ステップＳ１６０８）。認証暗号化要求信号は、ゲートウェイ１３０およびフェムト基地局１１０を介して登録移動端末１２１へ送信される。つぎに、登録移動端末１２１が、フェムト基地局１１０を経由してコアネットワーク１４０との間の通信を開始し（ステップＳ１６０９）、一連の処理を終了する。
【００８９】
＜競合処理の例２＞
図１７−１〜図１７−４は、通信装置による競合処理の例２を示す図である。図１７−１〜図１７−４において、図１４−１〜図１４−４に示した部分と同様の部分については同一の符号を付して説明を省略する。まず、図１７−１に示すように、登録移動端末１２１が、フェムト基地局１１０を経由する通信を行っているとする（符号１７１１）。
【００９０】
つぎに、図１７−２に示すように、登録外移動端末１２２が、フェムト基地局１１０のフェムトセル１１１へ進入し（符号１７２１）、フェムト基地局１１０を介して通信装置２００へ接続要求信号を送信したとする（符号１７２２）。そして、フェムト基地局１１０の回線に空き（最大同時接続数α−現在の接続数）がなかったとする。
【００９１】
この場合は、図１７−３に示すように、通信装置２００は、フェムト基地局１１０と通信中の登録移動端末１２１をマクロ基地局１４０１のハンドオーバさせる（符号１７３１）。そして、通信装置２００は、登録外移動端末１２２のフェムト基地局１１０への接続処理を行う。
【００９２】
これにより、図１７−４に示すように、登録外移動端末１２２がフェムト基地局１１０との間で通信中の状態になる（符号１７４１）。また、登録移動端末１２１がマクロ基地局１４０１との間で通信中の状態になる（符号１７４２）。
【００９３】
このように、通信装置２００は、登録外移動端末１２２からの接続要求信号の受信時にフェムト基地局１１０の回線に空きがない場合に、フェムト基地局１１０と通信中の登録移動端末１２１をマクロ基地局１４０１へ強制的にハンドオーバさせる。そして、通信装置２００は、登録外移動端末１２２のフェムト基地局１１０への接続処理を行う。
【００９４】
これにより、たとえば登録外移動端末１２２がマクロセル１４０２において十分な品質で通信を行えない場合に、登録外移動端末１２２がフェムト基地局１１０を使用して通信を行うことができる。このため、登録外移動端末１２２のユーザの利便性を向上させることができる。また、登録外移動端末１２２にフェムト基地局１１０を使用させることで、登録移動端末１２１のユーザへの還元を大きくすることができる。
【００９５】
また、通信装置２００は、図示しない品質取得部により、マクロセル１４０２（マクロ基地局１４０１の通信可能エリア）における登録移動端末１２１の通信品質を取得してよい。そして、通信装置２００は、取得した通信品質が閾値未満の場合は登録移動端末１２１をハンドオーバさせないようにしてもよい。この場合は、通信装置２００は、登録外移動端末１２２の接続拒否処理を行う。これにより、強制的にハンドオーバさせられた登録移動端末１２１の通信品質が閾値未満に低下することを回避することができる。
【００９６】
マクロセル１４０２における登録移動端末１２１の通信品質は、たとえばマクロ基地局１４０１と登録移動端末１２１との間の伝搬品質である。通信装置２００の品質取得部は、たとえば、マクロセル１４０２における登録移動端末１２１の通信品質を示す情報を登録移動端末１２１またはマクロ基地局１４０１から受信する。
【００９７】
図１８は、通信装置による競合処理の例２を示すフローチャートである。通信装置２００は、登録移動端末１２１と登録外移動端末１２２の競合処理として、たとえば以下の各ステップを実行する。まず接続要求信号を受信したか否かを判断し（ステップＳ１８０１）、接続要求信号を受信するまで待つ（ステップＳ１８０１：Ｎｏのループ）。
【００９８】
ステップＳ１８０１において接続要求信号を受信すると（ステップＳ１８０１：Ｙｅｓ）、受信した接続要求信号の送信元が登録外移動端末１２２であるか否かを判断する（ステップＳ１８０２）。接続要求信号の送信元が登録移動端末１２１である場合（ステップＳ１８０２：Ｎｏ）は、登録移動端末１２１の接続処理を行い（ステップＳ１８０３）、一連の処理を終了する。
【００９９】
ステップＳ１８０２において、接続要求信号の送信元が登録外移動端末１２２である場合（ステップＳ１８０２：Ｙｅｓ）は、フェムト基地局１１０の回線（最大同時接続数α−現在の接続数）に空きがあるか否かを判断する（ステップＳ１８０４）。回線に空きがある場合（ステップＳ１８０４：Ｙｅｓ）は、ステップＳ１８０８へ移行する。回線に空きがない場合（ステップＳ１８０４：Ｎｏ）は、フェムト基地局１１０と通信中の登録移動端末１２１があるか否かを判断する（ステップＳ１８０５）。
【０１００】
ステップＳ１８０５において、フェムト基地局１１０と通信中の登録移動端末１２１がない場合（ステップＳ１８０５：Ｎｏ）は、ステップＳ１８０９へ移行する。フェムト基地局１１０と通信中の登録移動端末１２１がある場合（ステップＳ１８０５：Ｙｅｓ）は、マクロセル１４０２における登録移動端末１２１の通信品質が閾値以上か否かを判断する（ステップＳ１８０６）。
【０１０１】
ステップＳ１８０６において、マクロセル１４０２における登録移動端末１２１の通信品質が閾値未満である場合（ステップＳ１８０６：Ｎｏ）は、ステップＳ１８０９へ移行する。マクロセル１４０２における登録移動端末１２１の通信品質が閾値以上である場合（ステップＳ１８０６：Ｙｅｓ）は、登録移動端末１２１をマクロ基地局１４０１へハンドオーバさせる（ステップＳ１８０７）。
【０１０２】
図１８に示すステップＳ１８０８〜Ｓ１８１２は、図１１に示したステップＳ１１０４〜Ｓ１１０８と同様であるため説明を省略する。以上の各ステップにより、フェムト基地局１１０の回線に空きがない場合に、フェムト基地局１１０と通信中の登録移動端末１２１をマクロ基地局１４０１へ強制的にハンドオーバさせることができる。また、登録外移動端末１２２のフェムト基地局１１０への接続処理を行うことができる。また、マクロセル１４０２における登録移動端末１２１の通信品質が閾値未満の場合は登録移動端末１２１をハンドオーバさせないようにすることができる。
【０１０３】
図１９は、通信装置による競合処理の例２を示すシーケンス図である。まず、登録移動端末１２１が、フェムト基地局１１０を経由してコアネットワーク１４０との間で通信中であるとする（ステップＳ１９０１）。つぎに、登録外移動端末１２２が、接続要求信号（ＬＵ  ＲＥＱＵＥＳＴ）を送信する（ステップＳ１９０２）。ステップＳ１９０２によって送信された接続要求信号は、フェムト基地局１１０およびゲートウェイ１３０を介してＣＮ側通信装置１４１へ送信される。
【０１０４】
つぎに、ＣＮ側通信装置１４１が、フェムト基地局１１０のアクセスリストに登録外移動端末１２２が登録されているか否かを判断する（ステップＳ１９０３）。ここでは、フェムト基地局１１０のアクセスリストに登録外移動端末１２２が登録されていないと判断される（登録なし）。つぎに、ＣＮ側通信装置１４１が、フェムト基地局１１０の回線に空きがあるか否かを判断する（ステップＳ１９０４）。ここでは、回線に空きがないと判断された場合について説明する（空きなし）。
【０１０５】
つぎに、ＣＮ側通信装置１４１が、フェムト基地局１１０と通信中の登録移動端末１２１があるか否かを判断する（ステップＳ１９０５）。ここでは、フェムト基地局１１０と通信中の登録移動端末１２１があると判断される（あり）。つぎに、ＣＮ側通信装置１４１が、マクロセル１４０２における登録移動端末１２１の通信品質が閾値以上であるか否かを判断する（ステップＳ１９０６）。ここでは、登録移動端末１２１の通信品質が閾値以上であると判断された場合について説明する（閾値以上）。
【０１０６】
つぎに、ＣＮ側通信装置１４１が、ハンドオーバ指示信号を送信（ＲＥＬＯＣＡＴＩＯＮ）する（ステップＳ１９０７）。ハンドオーバ指示信号は、ゲートウェイ１３０およびフェムト基地局１１０を介して登録移動端末１２１へ送信される。つぎに、登録移動端末１２１が、フェムト基地局１１０からマクロ基地局１４０１へハンドオーバする（ステップＳ１９０８）。
【０１０７】
つぎに、ＣＮ側通信装置１４１が、認証暗号化要求信号を送信する（ステップＳ１９０９）。認証暗号化要求信号は、ゲートウェイ１３０およびフェムト基地局１１０を介して登録外移動端末１２２へ送信される。つぎに、登録外移動端末１２２が、フェムト基地局１１０を経由してコアネットワーク１４０との間の通信を開始し（ステップＳ１９１０）、一連の処理を終了する。
【０１０８】
（アクセスリストの動的変更）
図２０は、アクセスリストの動的変更のシーケンス図である。まず、フェムト基地局１１０の所有者Ａの設定端末２０１０が、フェムト基地局１１０のアクセスリストの更新要求信号をフェムト基地局１１０へ送信する（ステップＳ２００１）。更新要求信号には、フェムト基地局１１０の所有者Ａの認証情報が含まれている。所有者Ａの認証情報は、たとえばＩＤとパスワードの組み合わせである。
【０１０９】
つぎに、フェムト基地局１１０が、ステップＳ２００１によって設定端末２０１０から送信された更新要求信号をＣＮ側通信装置１４１へ送信する（ステップＳ２００２）。つぎに、ＣＮ側通信装置１４１が、所有者Ａ（フェムト基地局１１０）のアクセスリストをフェムト基地局１１０へ送信する（ステップＳ２００３）。つぎに、フェムト基地局１１０が、ステップＳ２００３によってＣＮ側通信装置１４１から送信されたアクセスリストを設定端末２０１０へ送信する（ステップＳ２００４）。
【０１１０】
つぎに、設定端末２０１０が、ステップＳ２００４によって送信されたアクセスリストを更新する（ステップＳ２００５）。アクセスリストの更新は、たとえば所有者Ａの操作によって行われる。つぎに、設定端末２０１０が、ステップＳ２００５によって更新されたアクセスリストをフェムト基地局１１０へ送信する（ステップＳ２００６）。
【０１１１】
つぎに、フェムト基地局１１０が、ステップＳ２００６によって設定端末２０１０から送信されたアクセスリストをＣＮ側通信装置１４１へ送信する（ステップＳ２００７）。ＣＮ側通信装置１４１は、ステップＳ２００７によって送信されたアクセスリストを所有者Ａのアクセスリストとして新たに記憶する。
【０１１２】
つぎに、設定端末２０１０が、ステップＳ２００６によって送信したアクセスリストをメモリから削除する（ステップＳ２００８）。また、フェムト基地局１１０が、ステップＳ２００７によって送信したアクセスリストをメモリから削除し（ステップＳ２００９）、一連の処理を終了する。このように、フェムト基地局１１０のアクセスリストを、フェムト基地局１１０の所有者が随時変更できるようにしてもよい。
【０１１３】
また、フェムト基地局１１０の所有者からの更新要求信号に対して、認証を行うとともに、フェムト基地局１１０の所有者のアクセスリストのみを設定端末２０１０へ送信して更新させる。これにより、他のユーザのアクセスリストの漏洩を回避し、セキュリティを向上させることができる。
【０１１４】
（登録ユーザの在圏の有無による登録外ユーザの接続許可）
図２１は、登録ユーザの在圏の有無による登録外ユーザの接続許可を示すシーケンス図である。図２１に示すホームロケーションレジスタ２１１０（ＨＬＲ：Ｈｏｍｅ  Ｌｏｃａｔｉｏｎ  Ｒｅｇｉｓｔｅｒ）は、コアネットワーク１４０に設けられ、ＣＮ側通信装置１４１の位置登録情報を管理する通信装置である。まず、通信装置２００が、登録移動端末１２１がフェムト基地局１１０の周辺マクロセルに在圏しているか否かを示す在圏情報を要求する在圏情報要求信号をホームロケーションレジスタ２１１０へ送信する（ステップＳ２１０１）。フェムト基地局１１０の周辺マクロセルは、フェムト基地局１１０が所属する位置登録エリアである。
【０１１５】
つぎに、ホームロケーションレジスタ２１１０が、登録移動端末１２１の在圏情報を通信装置２００に送信する（ステップＳ２１０２）。以上の各ステップを定期的（たとえば１秒、１０秒または１００秒ごと）に行うことで、通信装置２００が、登録移動端末１２１の在圏情報を定期的に得ることができる。また、通信装置２００は、たとえばフェムト基地局１１０に問い合わせることによって、登録移動端末１２１がフェムトセル１１１に在圏しているか否かを示す在圏情報を取得することができる。
【０１１６】
通信装置２００は、登録移動端末１２１の在圏情報に応じて、開放モードと非開放モードとを切り替える（図２２参照）。開放モードにおいては、通信装置２００は、登録外移動端末１２２からの接続要求信号を受信した場合に登録外移動端末１２２のフェムト基地局１１０への接続処理を行う。一方、非開放モードにおいては、通信装置２００は、登録外移動端末１２２からの接続要求信号を受信しても接続処理を行わない。
【０１１７】
図２２は、登録ユーザの在圏の有無による登録外ユーザの接続許可を示すフローチャートである。通信装置２００は、以下の各ステップを実行する。まず、初期状態としてモードを非開放モードに設定する（ステップＳ２２０１）。つぎに、所定時間待機する（ステップＳ２２０２）。つぎに、フェムトセル１１１または周辺マクロセル（位置登録セル）に登録移動端末１２１が在圏しているか否かを判断する（ステップＳ２２０３）。
【０１１８】
ステップＳ２２０３において、フェムトセル１１１または周辺マクロセルに登録移動端末１２１が在圏している場合（ステップＳ２２０３：Ｙｅｓ）は、ステップＳ２２０２へ戻る。この場合は、通信装置２００は非開放モードのままとなる。フェムトセル１１１または周辺マクロセルに登録移動端末１２１が在圏していない場合（ステップＳ２２０３：Ｎｏ）は、モードを開放モードに設定する（ステップＳ２２０４）。
【０１１９】
つぎに、所定時間待機する（ステップＳ２２０５）。つぎに、フェムトセル１１１または周辺マクロセルに登録移動端末１２１が在圏しているか否かを判断する（ステップＳ２２０６）。フェムトセル１１１または周辺マクロセルに登録移動端末１２１が在圏している場合（ステップＳ２２０６：Ｙｅｓ）は、ステップＳ２２０１へ戻る。フェムトセル１１１または周辺マクロセルに登録移動端末１２１が在圏していない場合（ステップＳ２２０６：Ｎｏ）は、登録移動端末１２１からの位置登録要求信号（接続要求信号）を受信したか否かを判断する（ステップＳ２２０７）。
【０１２０】
ステップＳ２２０７において、位置登録要求信号（接続要求信号）を受信した場合（ステップＳ２２０７：Ｙｅｓ）は、ステップＳ２２０１へ戻る。位置登録要求信号（接続要求信号）を受信していない場合（ステップＳ２２０７：Ｎｏ）は、ステップＳ２２０５へ戻る。以上の各ステップにより、登録移動端末１２１がフェムトセル１１１または周辺マクロセルに在圏している場合は接続処理を行わないようにすることができる。
【０１２１】
このように、通信装置２００は、フェムト基地局１１０のフェムトセル１１１における登録移動端末１２１の在圏状況を示す在圏情報を取得する。そして、通信装置２００は、登録移動端末１２１がフェムトセル１１１に在圏していない場合は、登録外移動端末１２２のフェムト基地局１１０への接続処理を行う。一方、通信装置２００は、登録移動端末１２１がフェムトセル１１１に在圏している場合は接続処理を行わない。
【０１２２】
また、通信装置２００は、フェムト基地局１１０の周辺マクロセル（位置登録エリア）における登録移動端末１２１の在圏状況を示す在圏情報を取得する。そして、通信装置２００は、登録移動端末１２１が周辺マクロセルに在圏していない場合は、登録外移動端末１２２のフェムト基地局１１０への接続処理を行う。一方、通信装置２００は、登録移動端末１２１が周辺マクロセルに在圏している場合は接続処理を行わない。
【０１２３】
これにより、登録移動端末１２１がフェムト基地局１１０へ接続する可能性が高い場合に登録移動端末１２１の回線を確保することができる。一方、登録移動端末１２１がフェムト基地局１１０へ接続する可能性が低い場合にフェムト基地局１１０を登録外移動端末１２２に使用させることができる。
【０１２４】
（迷惑ユーザの接続拒否）
通信装置２００の条件記憶部２５０は、フェムト基地局１１０への接続を拒否する拒否移動端末を記憶していてもよい。そして、接続処理部は、条件記憶部２５０に記憶された拒否移動端末については、接続要求信号を受信しても接続処理を行わない。これにより、リソースを常に占有するような迷惑ユーザを拒否移動端末として条件記憶部２５０に記憶しておくことで、迷惑ユーザを接続不可能とすることができる。
【０１２５】
（通信装置をフェムト基地局に適用する場合）
つぎに、通信装置２００をフェムト基地局１１０に適用する場合について説明する。
【０１２６】
＜登録外ユーザの接続処理＞
図２３は、登録外ユーザの接続許可の処理例を示すシーケンス図である。まず、登録外移動端末１２２がフェムト基地局１１０との間でＲＲＣ接続（Ｒａｄｉｏ  Ｒｅｓｏｕｒｃｅ  Ｃｏｎｔｒｏｌ  Ｃｏｎｎｅｃｔｉｏｎ）を確立する（ステップＳ２３０１）。つぎに、登録外移動端末１２２がフェムト基地局１１０へ接続要求信号（ＬＵ  ＲＥＱＵＥＳＴ）を送信する（ステップＳ２３０２）。
【０１２７】
つぎに、フェムト基地局１１０が、フェムト基地局１１０のアクセスリストに登録外移動端末１２２が登録されているか否かを判断する（ステップＳ２３０３）。ここでは、フェムト基地局１１０は、フェムト基地局１１０のアクセスリストに登録外移動端末１２２が登録されていないと判断する（登録なし）。
【０１２８】
つぎに、フェムト基地局１１０が、現在が一般開放時間（たとえば図３参照）か否かを判断する（ステップＳ２３０４）。ここでは、現在が一般開放時間である（一般開放時間内）場合について説明する。つぎに、フェムト基地局１１０が、認証暗号化要求信号（Ａｕｔｈｅｎｔｉｃａｔｉｏｎ  ａｎｄ  Ｃｉｐｈｅｒｉｎｇ  Ｒｅｑｕｅｓｔ）を登録外移動端末１２２へ送信する（ステップＳ２３０５）。
【０１２９】
つぎに、登録外移動端末１２２が、コアネットワーク１４０との間の通信を開始する（ステップＳ２３０６）。つぎに、フェムト基地局１１０が、登録外移動端末１２２によるフェムト基地局１１０の使用状況の計測を開始し（ステップＳ２３０７）、一連の処理を終了する。ステップＳ２３０７においては、フェムト基地局１１０は、ステップＳ２３０６によって開始された通信の通信量の計測を開始する。
【０１３０】
ここでは、ステップＳ２３０６において、登録外移動端末１２２がコアネットワーク１４０との間の通信を開始する場合について説明したが、登録外移動端末１２２の通信先はコアネットワーク１４０に限らない。たとえば、登録外移動端末１２２の通信先は、ゲートウェイ１３０と同一のＬＡＮ内の他の通信装置でもよい。
【０１３１】
図２４は、登録外ユーザの接続拒否の処理例を示すシーケンス図である。図２４に示すステップＳ２４０１〜Ｓ２４０４は、図２３に示したステップＳ２３０１〜Ｓ２３０４と同様であるため説明を省略する。ただし、ここでは、ステップＳ２４０４において、現在が一般開放時間でない（一般開放時間外）と判断された場合について説明する。
【０１３２】
この場合は、ステップＳ２４０４のつぎに、フェムト基地局１１０が、ステップＳ２４０１によって登録外移動端末１２２との間で確立したＲＲＣ接続を解放し（ステップＳ２４０５）、一連の処理を終了する。図２３および図２４に示したように、通信装置２００をフェムト基地局１１０に適用する場合は、登録外移動端末１２２とフェムト基地局１１０との間で直接接続処理を行う。
【０１３３】
その他、通信装置２００をフェムト基地局１１０に適用する場合の通信装置２００の機能は、通信装置２００をＣＮ側通信装置１４１またはゲートウェイ１３０に適用する場合と同様である。
【０１３４】
このように、実施の形態にかかる通信装置２００は、登録外移動端末１２２のフェムト基地局１１０への接続を許可するとともに、登録外移動端末１２２によるフェムト基地局１１０の使用状況を計測して計測結果を送信する。これにより、登録外移動端末１２２によるフェムト基地局１１０の使用状況に応じて、フェムト基地局１１０の所有者への還元が可能になり、フェムト基地局１１０の普及を図ることができる。
【０１３５】
これにより、フェムト基地局１１０を設置するユーザの負担を軽減し、フェムト基地局１１０の普及を図ることができる。また、登録外移動端末１２２のフェムト基地局１１０への接続を許可することで、登録外移動端末１２２のユーザの利便性を向上させることができる。また、フェムト基地局１１０の普及を図ることで、マクロ基地局によるマクロセルでカバーできないエリアを効率よく補完することができる。
【０１３６】
なお、上述した実施の形態においては、各移動端末のうちの登録外移動端末１２２によるフェムト基地局１１０の使用状況を計測し、登録移動端末１２１によるフェムト基地局１１０の使用状況は計測しない構成について説明した。
【０１３７】
これに対して、登録移動端末１２１および登録外移動端末１２２によるフェムト基地局１１０の使用状況を計測する構成にしてもよい。この場合は、通信装置２００は、登録移動端末１２１および登録外移動端末１２２の計測結果のうちの登録外移動端末１２２の計測結果を送信する。または、通信装置２００は、登録外移動端末１２２の計測結果を登録移動端末１２１の計測結果と区別して送信する。これにより、登録外移動端末１２２によるフェムト基地局１１０の使用状況に応じて、フェムト基地局１１０の所有者への還元が可能になる。
【０１３８】
以上説明したように、通信装置、基地局および通信方法によれば、フェムト基地局の普及を図ることができる。
【符号の説明】
【０１３９】
１００  通信システム
１１０  フェムト基地局
１１１  フェムトセル
１２１  登録移動端末
１２２  登録外移動端末
１３０  ゲートウェイ
１４０  コアネットワーク
１４０１  マクロ基地局
１４０２  マクロセル
【図１】
2011114497.tif 000003
【図２】
2011114497.tif 000004
【図３】
2011114497.tif 000005
【図４】
2011114497.tif 000006
【図５】
2011114497.tif 000007
【図６】
2011114497.tif 000008
【図７】
2011114497.tif 000009
【図８】
2011114497.tif 000010
【図９】
2011114497.tif 000011
【図１０】
2011114497.tif 000012
【図１１】
2011114497.tif 000013
【図１２】
2011114497.tif 000014
【図１３】
2011114497.tif 000015
【図１４−１】
2011114497.tif 000016
【図１４−２】
2011114497.tif 000017
【図１４−３】
2011114497.tif 000018
【図１４−４】
2011114497.tif 000019
【図１５】
2011114497.tif 000020
【図１６】
2011114497.tif 000021
【図１７−１】
2011114497.tif 000022
【図１７−２】
2011114497.tif 000023
【図１７−３】
2011114497.tif 000024
【図１７−４】
2011114497.tif 000025
【図１８】
2011114497.tif 000026
【図１９】
2011114497.tif 000027
【図２０】
2011114497.tif 000028
【図２１】
2011114497.tif 000029
【図２２】
2011114497.tif 000030
【図２３】
2011114497.tif 000031
【図２４】
2011114497.tif 000032
【手続補正書】
【提出日】平成24年9月6日(2012.9.6)
【手続補正１】
【補正対象書類名】特許請求の範囲
【補正対象項目名】全文
【補正方法】変更
【補正の内容】
【特許請求の範囲】
【請求項１】
基地局に登録された登録移動端末を示す登録情報を記憶する登録情報記憶部と、
前記登録情報記憶部によって記憶されていない登録外移動端末からの接続要求信号に基づいて前記登録外移動端末の前記基地局への接続処理を行う接続処理部と、
前記接続処理部によって接続処理が行われた登録外移動端末による前記基地局の使用状況を計測する計測部と、
前記計測部による計測結果を他の通信装置へ送信する送信部と、
を備えることを特徴とする通信装置。
【請求項２】
前記他の通信装置は、前記基地局の管理を行う事業者の通信装置であることを特徴とする請求項１に記載の通信装置。
【請求項３】
前記登録外移動端末の接続を許可する開放期間を記憶する条件記憶部を備え、
前記接続処理部は、前記条件記憶部によって記憶された開放期間とは異なる期間においては前記接続処理を行わないことを特徴とする請求項１に記載の通信装置。
【請求項４】
前記登録外移動端末の同時接続を許可する接続許可数を記憶する条件記憶部を備え、
前記接続処理部は、前記基地局へ接続中の前記登録外移動端末の数が、前記条件記憶部によって記憶された接続許可数に達している場合は前記接続処理を行わないことを特徴とする請求項１に記載の通信装置。
【請求項５】
前記条件記憶部は、期間ごとの前記接続許可数を記憶し、
前記接続処理部は、前記基地局へ接続中の前記登録外移動端末の数が、前記接続許可数のうちの現在期間に対応する接続許可数に達している場合は前記接続処理を行わないことを特徴とする請求項４に記載の通信装置。
【請求項６】
前記接続処理部は、前記基地局の回線に空きがない場合に、前記基地局と通信中の前記登録外移動端末を他の基地局へハンドオーバさせ、前記登録移動端末の前記基地局への接続処理を行うことを特徴とする請求項１に記載の通信装置。
【請求項７】
前記接続処理部は、前記基地局の回線に空きがない場合に、前記基地局と通信中の前記登録移動端末を他の基地局へハンドオーバさせ、前記登録外移動端末の前記基地局への接続処理を行うことを特徴とする請求項１に記載の通信装置。
【請求項８】
前記基地局の通信可能エリアにおける前記登録移動端末の在圏状況を示す在圏情報を取得する在圏情報取得部を備え、
前記接続処理部は、前記在圏情報取得部によって取得された在圏情報に基づいて、前記登録移動端末が前記通信可能エリアに在圏している場合は前記接続処理を行わないことを特徴とする請求項１に記載の通信装置。
【請求項９】
自局の登録移動端末を示す登録情報を記憶する条件記憶部と、
前記条件記憶部によって記憶されていない登録外移動端末からの接続要求信号に基づいて前記登録外移動端末の自局への接続処理を行う接続処理部と、
前記接続処理部によって接続処理が行われた登録外移動端末による自局の使用状況を計測する計測部と、
前記計測部による計測結果を他の通信装置へ送信する送信部と、
を備えることを特徴とする基地局。
【請求項１０】
基地局に登録された登録移動端末を示す登録情報を記憶する記憶工程と、
前記記憶工程によって記憶されていない登録外移動端末からの接続要求信号に基づいて前記登録外移動端末の前記基地局への接続処理を行う接続処理工程と、
前記接続処理工程によって接続処理が行われた登録外移動端末による前記基地局の使用状況を計測する計測工程と、
前記計測工程による計測結果を他の通信装置へ送信する送信工程と、
を含むことを特徴とする通信方法。
【手続補正２】
【補正対象書類名】明細書
【補正対象項目名】全文
【補正方法】変更
【補正の内容】
【発明の詳細な説明】
【技術分野】
【０００１】
本発明は、通信を行う通信装置、基地局および通信方法に関する。
【背景技術】
【０００２】
近年、無線通信ネットワークの分野において、小型の無線基地局（ＢＴＳ：Ｂａｓｅ  Ｔｒａｎｓｃｅｉｖｅｒ  Ｓｔａｔｉｏｎ）であるフェムト基地局（フェムトＢＴＳ）の導入が検討されている。フェムト基地局は、たとえば、一般の住宅、商業店舗または企業などにおいて通信エリアやサービスを補完するために設置される。また、ユーザ認証データ、端末情報、暗号化情報を受信し、受信した情報に基づいてフェムト基地局に対して位置登録要求を行い、携帯端末とフェムト基地局との間の通信を制御する技術がある（たとえば、下記特許文献１参照。）。
【先行技術文献】
【特許文献】
【０００３】
【特許文献１】国際公開第２００５／０９６６５６号パンフレット
【発明の概要】
【発明が解決しようとする課題】
【０００４】
しかしながら、上述した従来技術では、フェムト基地局の普及が困難という問題がある。すなわち、フェムト基地局の導入にあたり、導入に伴う費用（本体の費用や設置費用）、ブロードバンド回線の使用料や電気代は、通信事業者ではなく、フェムト基地局の所有者が負担することが予測される。このため、フェムト基地局の導入費用および運用費用が足かせとなり、フェムト基地局が普及しないことが考えられる。
【０００５】
開示の通信装置、基地局および通信方法は、上述した問題点を解消するものであり、フェムト基地局の普及を図ることを目的とする。
【課題を解決するための手段】
【０００６】
上述した課題を解決し、目的を達成するため、開示技術は、基地局に登録された登録移動端末を示す登録情報を記憶し、記憶されていない登録外移動端末からの接続要求信号に基づいて前記登録外移動端末の前記フェムト基地局への接続処理を行い、接続処理が行われた登録外移動端末による前記フェムト基地局の使用状況を計測し、計測結果を他の通信装置へ送信する。
【発明の効果】
【０００７】
開示の通信装置、基地局および通信方法によれば、フェムト基地局の普及を図ることができる。
【図面の簡単な説明】
【０００８】
【図１】実施の形態にかかる通信システムの構成例を示す図である。
【図２】実施の形態にかかる通信装置を示す図である。
【図３】登録外移動端末に対する一般開放時間の一例を示す図である。
【図４】登録移動端末ごとの一般開放時間の一例を示す図である。
【図５】登録外移動端末の接続許可数の一例を示す図である。
【図６】ユーザによる設定の一例を示すシーケンス図である。
【図７】ユーザによる設定の一例を示すシーケンス図である。
【図８】使用履歴に基づく接続許可数の決定処理の一例を示すフローチャートである。
【図９】登録移動端末の使用履歴の一例を示すグラフである。
【図１０】登録外移動端末の接続許可数の一例を示す図である。
【図１１】登録外移動端末の接続処理の一例を示すフローチャートである。
【図１２】登録外ユーザの接続許可の処理例を示すシーケンス図である。
【図１３】登録外ユーザの接続拒否の処理例を示すシーケンス図である。
【図１４−１】通信装置による競合処理の例１を示す図（その１）である。
【図１４−２】通信装置による競合処理の例１を示す図（その２）である。
【図１４−３】通信装置による競合処理の例１を示す図（その３）である。
【図１４−４】通信装置による競合処理の例１を示す図（その４）である。
【図１５】通信装置による競合処理の例１を示すフローチャートである。
【図１６】通信装置による競合処理の例１を示すシーケンス図である。
【図１７−１】通信装置による競合処理の例２を示す図（その１）である。
【図１７−２】通信装置による競合処理の例２を示す図（その２）である。
【図１７−３】通信装置による競合処理の例２を示す図（その３）である。
【図１７−４】通信装置による競合処理の例２を示す図（その４）である。
【図１８】通信装置による競合処理の例２を示すフローチャートである。
【図１９】通信装置による競合処理の例２を示すシーケンス図である。
【図２０】アクセスリストの動的変更のシーケンス図である。
【図２１】登録ユーザの在圏の有無による登録外ユーザの接続許可を示すシーケンス図である。
【図２２】登録ユーザの在圏の有無による登録外ユーザの接続許可を示すフローチャートである。
【図２３】登録外ユーザの接続許可の処理例を示すシーケンス図である。
【図２４】登録外ユーザの接続拒否の処理例を示すシーケンス図である。
【発明を実施するための形態】
【０００９】
以下に図面を参照して、この通信装置、基地局および通信方法の好適な実施の形態を詳細に説明する。この通信装置、基地局および通信方法は、登録外移動端末によるフェムト基地局の使用状況を計測して計測結果を送信することで、登録外移動端末によるフェムト基地局の使用状況に応じたユーザへの還元を可能にし、フェムト基地局の普及を図る。
【００１０】
（実施の形態）
（通信システムの構成）
図１は、実施の形態にかかる通信システムの構成例を示す図である。図１に示すように、実施の形態にかかる通信システム１００は、フェムト基地局１１０と、登録移動端末１２１と、登録外移動端末１２２と、ゲートウェイ１３０と、コアネットワーク１４０と、ＣＮ側通信装置１４１と、事業者通信装置１４２を含む。フェムト基地局１１０およびゲートウェイ１３０は、たとえば同一の屋内に設けられる。ここでは基地局としてフェムト基地局１１０を例示するが、フェムト基地局１１０に代えて他の基地局としてもよい。
【００１１】
フェムト基地局１１０は、フェムトセル１１１を周辺に形成する。そして、フェムト基地局１１０は、フェムトセル１１１に在圏する登録移動端末１２１や登録外移動端末１２２との間で無線通信を行う。また、フェムト基地局１１０はゲートウェイ１３０に接続されている。フェムト基地局１１０は、ゲートウェイ１３０を介して、登録移動端末１２１や登録外移動端末１２２とコアネットワーク１４０との間の通信を中継する。
【００１２】
フェムト基地局１１０は、登録移動端末１２１や登録外移動端末１２２からの接続要求信号（位置登録要求信号）を受信すると、コアネットワーク１４０上のＣＮ側通信装置１４１に問い合わせ（契約情報判定）を行う。そして、フェムト基地局１１０は、ＣＮ側通信装置１４１から接続許可の信号を受信すると、登録移動端末１２１や登録外移動端末１２２とコアネットワーク１４０との間の通信の中継を開始する。
【００１３】
登録移動端末１２１および登録外移動端末１２２は、携帯電話や携帯型情報端末などの無線通信が可能な移動端末（ＵＥ：Ｕｓｅｒ  Ｅｑｕｉｐｍｅｎｔ）である。登録移動端末１２１および登録外移動端末１２２は、フェムトセル１１１に在圏している場合はフェムト基地局１１０との間で無線通信を行うことができる。また、登録移動端末１２１および登録外移動端末１２２は、図示しないマクロ基地局のマクロセルに在圏している場合はマクロ基地局との間で無線通信を行うことができる。
【００１４】
登録移動端末１２１は、フェムト基地局１１０のアクセスリストに登録されている移動端末である。たとえば、登録移動端末１２１は、フェムト基地局１１０の所有者の移動端末や、フェムト基地局１１０の所有者の関係者の移動端末である。登録外移動端末１２２は、フェムト基地局１１０のアクセスリストに登録されていない移動端末である。たとえば、登録外移動端末１２２は、フェムト基地局１１０の所有者と特定の関係を有さない不特定者の移動端末である。登録移動端末１２１および登録外移動端末１２２のそれぞれは複数存在してもよい。
【００１５】
ゲートウェイ１３０は、フェムト基地局１１０とコアネットワーク１４０との間のゲートウェイである。ゲートウェイ１３０は、たとえばＨＮＢ−ＧＷ（Ｈｏｍｅ  ＮｏｄｅＢ−ＧａｔｅＷａｙ）である。または、ゲートウェイ１３０は、ＨｅＮＢ−ＧＷ（Ｈｏｍｅ  ｅｎｈａｎｃｅｄ  ＮｏｄｅＢ−ＧａｔｅＷａｙ）でもよい。
【００１６】
コアネットワーク１４０は、インターネットなどの基幹ネットワークである。ＣＮ側通信装置１４１は、コアネットワーク１４０上の通信装置である。事業者通信装置１４２は、コアネットワーク１４０上の通信装置であり、フェムト基地局１１０の管理を行う事業者の通信装置である。
【００１７】
図２は、実施の形態にかかる通信装置を示す図である。図２に示すように、実施の形態にかかる通信装置２００は、登録情報記憶部２１０と、接続処理部２２０と、計測部２３０と、送信部２４０と、を備えている。また、通信装置２００は、条件記憶部２５０と、決定部２６０と、をさらに備えていてもよい。
【００１８】
通信装置２００は、たとえば図１に示したゲートウェイ１３０やＣＮ側通信装置１４１などの、フェムト基地局１１０と通信可能な通信装置に適用することができる。実施の形態においては、通信装置２００をＣＮ側通信装置１４１に適用する構成について説明する。ただし、通信装置２００をゲートウェイ１３０に適用する構成としても同様の機能を実現することができる。
【００１９】
登録情報記憶部２１０は、フェムト基地局１１０のアクセスリストを記憶する。アクセスリストは、フェムト基地局１１０の登録移動端末を示す登録情報である。たとえば、アクセスリストは、登録移動端末の識別情報のリストである。登録移動端末の識別情報は、たとえば登録移動端末のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である。図１に示した登録移動端末１２１は、登録情報記憶部２１０に記憶されたアクセスリストに登録されている。また、図１に示した登録外移動端末１２２は、登録情報記憶部２１０に記憶されたアクセスリストに登録されていない。
【００２０】
接続処理部２２０は、登録移動端末１２１や登録外移動端末１２２からの接続要求信号に基づいて、登録移動端末１２１や登録外移動端末１２２のフェムト基地局１１０への接続処理を行う。接続処理部２２０は、たとえばフェムト基地局１１０を介して、登録移動端末１２１や登録外移動端末１２２からの接続要求信号を取得する。接続処理部２２０は、フェムト基地局１１０への接続処理を行った登録外移動端末１２２を計測部２３０へ通知する。
【００２１】
計測部２３０は、接続処理部２２０から通知された登録外移動端末１２２によるフェムト基地局１１０の使用状況を計測する。フェムト基地局１１０の使用状況は、具体的には、フェムト基地局１１０を経由して行う通信の多さである。たとえば、フェムト基地局１１０の使用状況は、パケット量や通信時間である。また、登録外移動端末１２２が複数存在する場合は、フェムト基地局１１０の使用状況は、フェムト基地局１１０を経由して通信を行った登録外移動端末１２２の数などでもよい。
【００２２】
計測部２３０による計測は、たとえば、登録外移動端末１２２の呼の開始や、登録外移動端末１２２の他のセルからのフェムトセル１１１へのハンドオーバ（Ｈａｎｄ  Ｉｎ）を契機として開始される。また、計測部２３０による計測は、たとえば、登録外移動端末１２２の呼の終了や、登録外移動端末１２２のフェムトセル１１１からの他のセルへのハンドオーバ（Ｈａｎｄ  Ｏｕｔ）を契機として終了する。
【００２３】
たとえば、計測部２３０は、フェムト基地局１１０の使用状況を、フェムト基地局１１０やゲートウェイ１３０から受信する情報により計測する。計測部２３０は、計測結果を送信部２４０へ出力する。たとえば、計測部２３０は、登録外移動端末１２２がフェムト基地局１１０を経由して通信を行うごとに計測結果を出力する。または、計測部２３０は、計測結果を記憶しておき、計測結果を所定のタイミングでまとめて出力してもよい。
【００２４】
送信部２４０は、計測部２３０から出力された計測結果を他の通信装置へ送信する。計測結果の送信先の通信装置は、たとえば、事業者通信装置１４２である。これにより、フェムト基地局１１０の管理を行う事業者が、登録外移動端末１２２によるフェムト基地局１１０の使用状況の情報を得ることができる。
【００２５】
このように、通信システム１００によれば、登録外移動端末１２２のフェムト基地局１１０への接続を許可するとともに、登録外移動端末１２２によるフェムト基地局１１０の使用状況を計測して計測結果を送信することができる。これにより、登録外移動端末１２２によるフェムト基地局１１０の使用状況に応じて、フェムト基地局１１０の所有者への還元が可能になり、フェムト基地局１１０の普及を図ることができる。
【００２６】
たとえば、事業者通信装置１４２へ計測結果を送信することで、フェムト基地局１１０の管理を行う事業者からフェムト基地局１１０の所有者への還元を行うことが可能になる。所有者への還元には、金銭の譲渡やフェムト基地局１１０の利用料金の割引など種々の形態が考えられる。たとえば、フェムト基地局１１０の貢献度として、登録外移動端末１２２のフェムト基地局１１０による通信について、（伝送したパケット量）×Ａ＋（通信時間）×Ｂ＋（登録外移動端末１２２の数）×Ｃを算出し、算出結果に応じた還元を行う。Ａ，Ｂ，Ｃは任意の係数である。
【００２７】
条件記憶部２５０は、登録外移動端末１２２のフェムト基地局１１０への接続を許可する条件を記憶する。接続処理部２２０は、たとえば条件記憶部２５０に記憶された条件に基づいて、登録外移動端末１２２のフェムト基地局１１０への接続処理を行うか否かを判断する。決定部２６０は、登録外移動端末１２２のフェムト基地局１１０への接続を許可する条件を決定して条件記憶部２５０に記憶させる。
【００２８】
（通信装置のハードウェア構成）
図２に示した登録情報記憶部２１０および条件記憶部２５０は、通信装置２００が備えるメモリによって実現することができる。登録情報記憶部２１０および条件記憶部２５０は、同一のメモリによって実現してもよいし、それぞれ別のメモリによって実現してもよい。接続処理部２２０、計測部２３０および送信部２４０は、たとえばＤＳＰ（Ｄｉｇｉｔａｌ  Ｓｉｇｎａｌ  Ｐｒｏｃｅｓｓｏｒ）などの演算手段および通信インターフェースによって実現することができる。
【００２９】
（通信システムの事前設定）
つぎに、登録外移動端末１２２のフェムト基地局１１０への接続を許可する条件の設定について説明する。登録外移動端末１２２のフェムト基地局１１０への接続を許可する条件の設定は、たとえばフェムト基地局１１０の運用前に行われる。
【００３０】
＜ユーザ設定に基づく設定例１＞
図３は、登録外移動端末に対する一般開放時間の一例を示す図である。図２に示した条件記憶部２５０には、たとえば図３に示すテーブル３００が記憶される。テーブル３００においては、移動端末識別子とフェムト基地局番号と一般開放時間とが含まれている。移動端末識別子は、登録移動端末１２１の識別情報（たとえばＩＭＳＩ）である。
【００３１】
フェムト基地局番号は、フェムト基地局１１０の識別情報である。一般開放時間は、登録外移動端末１２２の接続を許可する開放期間を示す情報である。一般開放時間は、たとえば通信装置２００の入力部（不図示）によってユーザから入力されて条件記憶部２５０に記憶される。接続処理部２２０は、一般開放時間（９：００〜１８：００）においては登録外移動端末１２２のフェムト基地局１１０への接続処理を行う。一方、接続処理部２２０は、一般開放時間とは異なる期間（時間帯１８：００〜９：００）においては登録外移動端末１２２のフェムト基地局１１０への接続処理を行わない。
【００３２】
これにより、一般開放時間以外の期間においては、登録移動端末１２１の回線を確保し、登録移動端末１２１がフェムト基地局１１０へ接続できない状況を回避することができる。このため、登録移動端末１２１のユーザの利便性を維持することができる。たとえば、登録移動端末１２１のユーザは、フェムト基地局１１０を使用する頻度が低い時間帯を一般開放時間に設定することで、自身の利便性を維持しつつ、登録外移動端末１２２に対してフェムト基地局１１０を使用させることができる。
【００３３】
ここでは、登録外移動端末１２２の接続を許可する開放期間として一般開放時間を例示した。ただし、登録外移動端末１２２の接続を許可する開放期間は、時間帯に限らず、日単位（たとえば曜日ごと）や月単位などの期間であってもよい（以下の説明においても同様）。たとえば、一般開放時間を平日（月曜日から金曜日）に設定してもよい。これにより、平日においては登録外移動端末１２２に対してフェムト基地局１１０を使用させるとともに、休日においては登録移動端末１２１の回線を確保することができる。
【００３４】
＜ユーザ設定に基づく設定例２＞
図４は、登録移動端末ごとの一般開放時間の一例を示す図である。通信装置２００のメモリには、たとえば図４に示すテーブル４００が記憶される。テーブル４００においては、移動端末識別子ごとに、フェムト基地局番号と一般開放時間とが対応付けられている。なお、それぞれのフェムト基地局番号は、フェムト基地局１１０の番号であるため同じ番号である。移動端末識別子ごとの一般開放時間は、たとえば通信装置２００の入力部（不図示）によってユーザから入力されて通信装置２００のメモリに記憶される。
【００３５】
図５は、登録外移動端末の接続許可数の一例を示す図である。図５に示すテーブル５００は、決定部２６０によって決定された時間帯ごとの接続許可数の一例である。通信装置２００の決定部２６０は、通信装置２００のメモリに記憶された移動端末識別子ごとの一般開放時間（図４参照）と、フェムト基地局１１０の仕様上の最大同時接続数と、に基づいて、登録外移動端末１２２への接続許可数を時間帯ごとに決定する。
【００３６】
フェムト基地局１１０の仕様上の最大同時接続数は、たとえば通信装置２００のメモリにあらかじめ記憶されていてもよいし、最大同時接続数を示す情報をフェムト基地局１１０から受信してもよい。たとえば、通信装置２００の決定部２６０は、フェムト基地局１１０の仕様上の最大同時接続数αから、対応する時間帯に一般開放時間が設定されていない登録移動端末１２１の数を減算することにより時間帯ごとの接続許可数を決定する。
【００３７】
具体的には、時間帯０：００〜９：００は、３つの登録移動端末１２１において一般開放時間が設定されていない（図４参照）。このため、時間帯０：００〜９：００の接続許可数は「α−３」になる。また、時間帯９：００〜１５：００は、１つの登録移動端末１２１（ｘｘｘｘｙｙｙｃｃｃ）において一般開放時間が設定されていない（図４参照）。このため、時間帯９：００〜１５：００の接続許可数は「α−１」になる。
【００３８】
また、時間帯１５：００〜１８：００は、２つの登録移動端末１２１（ｘｘｘｘｙｙｙｂｂｂ，ｘｘｘｘｙｙｙｃｃｃ）において一般開放時間が設定されていない（図４参照）。このため、時間帯１５：００〜１８：００の接続許可数は「α−２」になる。また、時間帯１８：００〜２４：００は、３つの登録移動端末１２１のすべてにおいて一般開放時間が設定されていない（図４参照）ため、時間帯１８：００〜２４：００の接続許可数は「α−３」になる。
【００３９】
このように、登録移動端末１２１ごとの一般開放時間に基づいて時間帯ごとの接続許可数を決定することができる。そして、接続処理部２２０は、フェムト基地局１１０へ接続中の登録外移動端末１２２の数が、現在期間の接続許可数に達している場合は、他の登録外移動端末１２２からの接続要求信号を受信しても接続処理を行わない。また、接続処理部２２０は、フェムト基地局１１０へ接続中の登録外移動端末１２２の数が、現在期間の接続許可数に達していない場合は、他の登録外移動端末１２２からの接続要求信号を受信した場合に接続処理を行う。
【００４０】
これにより、登録移動端末１２１の回線を確保し、登録移動端末１２１がフェムト基地局１１０へ接続できない状況を回避することができる。このため、登録移動端末１２１のユーザの利便性を維持することができる。また、フェムトセル１１１を使用する登録移動端末１２１の数が少ない時間帯においては、より多くの登録外移動端末１２２に対してフェムト基地局１１０を使用させることができる。
【００４１】
なお、ここでは、１日の時間帯を時間帯０：００〜９：００、時間帯９：００〜１５：００、時間帯１５：００〜１８：００および時間帯１８：００〜２４：００に分割した各時間帯ごとに登録外移動端末１２２の接続許可数を決定する場合について説明した。ただし、時間帯の分割方法はこれに限らず、たとえば１時間ごとに分割した各時間帯ごとに登録外移動端末１２２の接続許可数を決定してもよい（以下の説明においても同様）。
【００４２】
図６は、ユーザによる設定の一例を示すシーケンス図である。図６に示すユーザ６１０は、たとえばフェムト基地局１１０の所有者である。まず、ユーザ６１０は、通信装置２００に対して設定コマンドを入力する（ステップＳ６０１）。つぎに、通信装置２００が、ユーザ６１０に対して一般開放時間の入力画面を表示する（ステップＳ６０２）。つぎに、ユーザ６１０が、ステップＳ６０２によって表示された入力画面に対して一般開放時間を入力する（ステップＳ６０３）。
【００４３】
つぎに、通信装置２００が、ステップＳ６０３によって入力された一般開放時間を記憶し（ステップＳ６０４）、一連の処理を終了する。以上の各ステップにより、通信装置２００の条件記憶部２５０に一般開放時間（図３）が記憶される。また、ステップＳ６０３においては、登録移動端末１２１ごとの一般開放時間が入力されてもよい。この場合は、登録移動端末１２１ごとの一般開放時間（図４参照）が通信装置２００のメモリに記憶される。そして、通信装置２００は、ステップＳ６０４の後に、時間帯ごとの接続許可数（図５参照）を決定して条件記憶部２５０に記憶する。
【００４４】
以上の各ステップは、たとえばユーザ６１０が通信装置２００を直接操作することによって行われる。または、以上の各ステップは、ユーザ６１０がパソコンなどの設定端末を用いて通信装置２００に接続することによって行われてもよい。また、以上の各ステップは、たとえばフェムト基地局１１０の電源を入れたときに行われる。ただし、以上の各ステップは、フェムト基地局１１０の電源を入れたときに限らず、ユーザ６１０の任意のタイミングで行えるようにしてもよい。
【００４５】
＜ユーザ設定に基づく設定例３＞
図７は、ユーザによる設定の一例を示すシーケンス図である。まず、ユーザ６１０は、通信装置２００に対して設定コマンドを入力する（ステップＳ７０１）。つぎに、通信装置２００が、ユーザ６１０に対して、フェムト基地局１１０の仕様上の最大同時接続数と、フェムト基地局１１０のアクセスリストの登録数と、の入力画面を表示する（ステップＳ７０２）。つぎに、ユーザ６１０が、ステップＳ７０２によって表示された入力画面に対して、フェムト基地局１１０の仕様上の最大同時接続数と、フェムト基地局１１０のアクセスリストの登録数と、を入力する（ステップＳ７０３）。
【００４６】
つぎに、通信装置２００が、ステップＳ７０３によって入力された最大同時接続数とアクセスリスト登録数とに基づいて登録外移動端末１２２の接続許可数を決定する（ステップＳ７０４）。たとえば、通信装置２００は、フェムト基地局１１０の仕様上の最大同時接続数αから、フェムト基地局１１０のアクセスリストの登録数Ｘを引いた数α−Ｘを登録外移動端末１２２の接続許可数として決定する。
【００４７】
つぎに、通信装置２００は、ステップＳ７０４によって決定された登録外移動端末１２２の接続許可数を記憶し（ステップＳ７０５）、一連の処理を終了する。ここでは、ステップＳ７０３においてフェムト基地局１１０のアクセスリストの登録数を入力する場合について説明したが、通信装置２００は、フェムト基地局１１０のアクセスリストから登録数を自動的に取得するようにしてもよい。
【００４８】
これにより、登録外移動端末１２２の接続許可数が条件記憶部２５０に記憶される。この場合は、接続処理部２２０は、現在期間にかかわらず、フェムト基地局１１０へ接続中の登録外移動端末１２２の数が接続許可数に達している場合は、他の登録外移動端末１２２からの接続要求信号を受信しても接続処理を行わない。また、接続処理部２２０は、フェムト基地局１１０へ接続中の登録外移動端末１２２の数が接続許可数に達していない場合は、他の登録外移動端末１２２からの接続要求信号を受信した場合に接続処理を行う。
【００４９】
＜登録移動端末の使用履歴に基づく一般開放時間の設定＞
図８は、使用履歴に基づく接続許可数の決定処理の一例を示すフローチャートである。通信装置２００は、たとえば以下の各ステップを実行する。まず、所定期間（１週間、１ヶ月または３ヶ月等）を計時するタイマを設定する（ステップＳ８０１）。つぎに、フェムト基地局１１０への登録移動端末１２１の接続数を取得する（ステップＳ８０２）。
【００５０】
つぎに、ステップＳ８０１によって設定したタイマが満了したか否かを判断する（ステップＳ８０３）。タイマが満了していない場合（ステップＳ８０３：Ｎｏ）は、ステップＳ８０２へ戻る。タイマが満了した場合（ステップＳ８０３：Ｙｅｓ）は、ステップＳ８０２によって取得された接続数に基づいて、時間帯ごとの登録外移動端末１２２の接続許可数を決定し（ステップＳ８０４）、ステップＳ８０１へ戻る。
【００５１】
ステップＳ８０４においては、通信装置２００は、ステップＳ８０２によって取得された接続数に基づいて、フェムト基地局１１０への登録移動端末１２１の接続数の時間ごとの平均値を算出する。そして、通信装置２００は、算出した時間ごとの平均値に基づいて、時間帯ごとの登録外移動端末１２２の接続許可数を決定する。
【００５２】
なお、以上の各ステップを実行する前における時間帯ごとの登録外移動端末１２２の接続許可数は、たとえば、フェムト基地局１１０の仕様上の最大同時接続数から登録移動端末１２１の数を引いた数とする。これにより、以上の各ステップを実行する前において、登録移動端末１２１の回線を確実に確保することができる。
【００５３】
図９は、登録移動端末の使用履歴の一例を示すグラフである。図９において横軸は時間を示している。縦軸はフェムト基地局１１０への登録移動端末１２１の接続数を示している。図９は、図８に示したステップＳ８０４において算出された、フェムト基地局１１０への登録移動端末１２１の接続数の時間ごとの平均値（使用履歴）を示している。
【００５４】
図１０は、登録外移動端末の接続許可数の一例を示す図である。図１０に示すテーブル１０００は、図９に示した登録移動端末１２１によるフェムト基地局１１０の使用履歴に基づいて通信装置２００が決定した、登録外移動端末１２２の接続許可数を示している。ここでは、フェムト基地局１１０の仕様上の最大同時接続数α＝を４としている。
【００５５】
たとえば、時間帯０：００〜９：００（期間Ｔ１）においては、フェムト基地局１１０への登録移動端末１２１の接続数が最大で３である。このため、時間帯０：００〜９：００における登録外移動端末１２２の接続許可数は、フェムト基地局１１０の仕様上の最大同時接続数α（＝４）から３を引いた１となる。
【００５６】
時間帯９：００〜１５：００（期間Ｔ２）においては、フェムト基地局１１０への登録移動端末１２１の接続数が最大で１である。このため、時間帯９：００〜１５：００における登録外移動端末１２２の接続許可数は、フェムト基地局１１０の仕様上の最大同時接続数α（＝４）から１を引いた３となる。
【００５７】
時間帯１５：００〜１８：００（期間Ｔ３）においては、フェムト基地局１１０への登録移動端末１２１の接続数が最大で２である。このため、時間帯１５：００〜１８：００における登録外移動端末１２２の接続許可数は、フェムト基地局１１０の仕様上の最大同時接続数α（＝４）から２を引いた２となる。
【００５８】
時間帯１８：００〜２４：００（期間Ｔ４）においては、フェムト基地局１１０への登録移動端末１２１の接続数が最大で３である。このため、時間帯１８：００〜２４：００における登録外移動端末１２２の接続許可数は、フェムト基地局１１０の仕様上の最大同時接続数α（＝４）から３を引いた１となる。
【００５９】
このように、通信システム１００は、フェムト基地局１１０の使用履歴を示す履歴情報を登録移動端末１２１ごとに取得し、登録移動端末１２１ごとの履歴情報に基づいて期間ごとの登録外移動端末１２２の接続許可数を決定してもよい。これにより、登録移動端末１２１によるフェムト基地局１１０の使用状況に応じて期間ごとの登録外移動端末１２２の接続許可数を自動的に決定することができる。
【００６０】
（フェムト基地局が運用中の処理）＜登録外ユーザの接続処理＞
図１１は、登録外移動端末の接続処理の一例を示すフローチャートである。通信装置２００は、登録外移動端末１２２の接続処理として、たとえば以下の各ステップを実行する。まず、接続要求信号を受信したか否かを判断し（ステップＳ１１０１）、接続要求信号を受信するまで待つ（ステップＳ１１０１：Ｎｏのループ）。
【００６１】
ステップＳ１１０１において接続要求信号を受信すると（ステップＳ１１０１：Ｙｅｓ）、受信した接続要求信号の送信元が登録移動端末１２１であるか否かを判断する（ステップＳ１１０２）。登録移動端末１２１である場合（ステップＳ１１０２：Ｙｅｓ）は、登録移動端末１２１のフェムト基地局１１０への接続処理を行い（ステップＳ１１０３）、一連の処理を終了する。
【００６２】
ステップＳ１１０２において、受信した接続要求信号の送信元が登録外移動端末１２２である場合（ステップＳ１１０２：Ｎｏ）は、現在が一般開放時間（たとえば図３参照）か否かを判断する（ステップＳ１１０４）。一般開放時間でない場合（ステップＳ１１０４：Ｎｏ）は、登録外移動端末１２２の接続拒否処理を行い（ステップＳ１１０５）、一連の処理を終了する。
【００６３】
ステップＳ１１０４において一般開放時間である場合（ステップＳ１１０４：Ｙｅｓ）は、登録外移動端末１２２のフェムト基地局１１０への接続処理を行う（ステップＳ１１０６）。つぎに、ステップＳ１１０６により接続処理を行った登録外移動端末１２２によるフェムト基地局１１０の使用状況を計測する（ステップＳ１１０７）。つぎに、ステップＳ１１０７の計測結果を記憶し（ステップＳ１１０８）、一連の処理を終了する。
【００６４】
以上の各ステップにより、一般開放時間においては登録外移動端末１２２のフェムト基地局１１０への接続処理を行い、一般開放時間でない時間においては登録外移動端末１２２の接続処理を行わないようにすることができる。また、登録外移動端末１２２のフェムト基地局１１０への接続処理を行った場合に、登録外移動端末１２２によるフェムト基地局１１０の使用状況を計測して記憶することができる。通信装置２００は、記憶した計測結果を所定のタイミングで他の通信装置へ送信する。
【００６５】
図１２は、登録外ユーザの接続許可の処理例を示すシーケンス図である。まず、登録外移動端末１２２がフェムト基地局１１０との間でＲＲＣ接続（Ｒａｄｉｏ  Ｒｅｓｏｕｒｃｅ  Ｃｏｎｔｒｏｌ  Ｃｏｎｎｅｃｔｉｏｎ）を確立する（ステップＳ１２０１）。つぎに、登録外移動端末１２２が接続要求信号（ＬＵ  ＲＥＱＵＥＳＴ）を送信する（ステップＳ１２０２）。ステップＳ１２０２によって送信された接続要求信号は、フェムト基地局１１０およびゲートウェイ１３０を介してＣＮ側通信装置１４１へ送信される。
【００６６】
つぎに、ＣＮ側通信装置１４１が、フェムト基地局１１０のアクセスリストに登録外移動端末１２２が登録されているか否かを判断する（ステップＳ１２０３）。ここでは、ＣＮ側通信装置１４１は、フェムト基地局１１０のアクセスリストに登録外移動端末１２２が登録されていないと判断する（登録なし）。
【００６７】
つぎに、ＣＮ側通信装置１４１が、現在が一般開放時間（たとえば図３参照）か否かを判断する（ステップＳ１２０４）。ここでは、現在が一般開放時間である（一般開放時間内）場合について説明する。つぎに、ＣＮ側通信装置１４１が、認証暗号化要求信号（Ａｕｔｈｅｎｔｉｃａｔｉｏｎ  ａｎｄ  Ｃｉｐｈｅｒｉｎｇ  Ｒｅｑｕｅｓｔ）を送信する（ステップＳ１２０５）。認証暗号化要求信号は、ゲートウェイ１３０およびフェムト基地局１１０を介して登録外移動端末１２２へ送信される。
【００６８】
つぎに、登録外移動端末１２２が、コアネットワーク１４０との間の通信を開始する（ステップＳ１２０６）。つぎに、ＣＮ側通信装置１４１が、登録外移動端末１２２による登録外移動端末１２２の使用状況の計測を開始し（ステップＳ１２０７）、一連の処理を終了する。ステップＳ１２０７においては、ＣＮ側通信装置１４１は、ステップＳ１２０６によって開始された通信の通信量の計測を開始する。
【００６９】
ここでは、ステップＳ１２０６において、登録外移動端末１２２がコアネットワーク１４０との間の通信を開始する場合について説明したが、登録外移動端末１２２の通信先はコアネットワーク１４０に限らない。たとえば、登録外移動端末１２２の通信先は、ゲートウェイ１３０と同一のＬＡＮ内の他の通信装置でもよい。
【００７０】
図１３は、登録外ユーザの接続拒否の処理例を示すシーケンス図である。図１３に示すステップＳ１３０１〜Ｓ１３０４は、図１２に示したステップＳ１２０１〜Ｓ１２０４と同様であるため説明を省略する。ただし、ここでは、ステップＳ１３０４において、現在が一般開放時間でない（一般開放時間外）と判断された場合について説明する。
【００７１】
この場合は、ステップＳ１３０４のつぎに、ＣＮ側通信装置１４１が、呼解放コマンドを送信する（ステップＳ１３０５）。ステップＳ１３０５によって送信された呼解放コマンドは、ゲートウェイ１３０を介してフェムト基地局１１０へ送信される。つぎに、フェムト基地局１１０が、ステップＳ１３０１によって登録外移動端末１２２との間で確立したＲＲＣ接続を解放し（ステップＳ１３０６）、一連の処理を終了する。
【００７２】
（登録移動端末と登録外移動端末の競合処理）
つぎに、フェムト基地局１１０の回線に空き（最大同時接続数α−現在の接続数）がない状態において登録移動端末１２１または登録外移動端末１２２から接続要求信号が送信された場合の競合処理について説明する。
【００７３】
＜競合処理の例１＞
図１４−１〜図１４−４は、通信装置による競合処理の例１を示す図である。図１４−１〜図１４−４において、マクロ基地局１４０１は、フェムト基地局１１０の付近に設置されたマクロ基地局である。マクロ基地局１４０１は、マクロセル１４０２を周辺に形成する。そして、マクロ基地局１４０１は、マクロセル１４０２に在圏する移動端末（たとえば登録移動端末１２１や登録外移動端末１２２）との間で無線通信を行う。
【００７４】
まず、図１４−１に示すように、登録外移動端末１２２が、フェムトセル１１１へ進入し、フェムト基地局１１０を介して通信装置２００へ接続要求信号を送信したとする（符号１４１１）。つぎに、図１４−２に示すように、通信装置２００が、フェムト基地局１１０を介して登録外移動端末１２２の接続を許可する（符号１４２１）。
【００７５】
これにより、図１４−３に示すように、登録外移動端末１２２がフェムト基地局１１０との間で通信中の状態になる（符号１４３１）。この状態において、登録移動端末１２１がフェムト基地局１１０のフェムトセル１１１へ進入し（符号１４３２）、フェムト基地局１１０を介して通信装置２００へ接続要求信号を送信したとする（符号１４３３）。この場合において、フェムト基地局１１０の回線に空きがなかったとする。
【００７６】
この場合は、図１４−４に示すように、通信装置２００は、フェムト基地局１１０と通信中の登録外移動端末１２２をマクロ基地局１４０１へハンドオーバさせる（符号１４４１）。そして、通信装置２００は、登録移動端末１２１のフェムト基地局１１０への接続処理を行う。これにより、登録移動端末１２１がフェムト基地局１１０との間で通信中の状態になる（符号１４４２）。
【００７７】
このように、通信装置２００は、登録移動端末１２１からの接続要求信号の受信時にフェムト基地局１１０の回線に空きがない場合に、フェムト基地局１１０と通信中の登録外移動端末１２２をマクロ基地局１４０１へ強制的にハンドオーバさせる。そして、通信装置２００は、登録移動端末１２１のフェムト基地局１１０への接続処理を行う。
【００７８】
これにより、登録移動端末１２１の回線を確保し、登録移動端末１２１がフェムト基地局１１０へ接続できない状況を回避することができる。このため、登録移動端末１２１のユーザの利便性を維持することができる。
【００７９】
図１５は、通信装置による競合処理の例１を示すフローチャートである。通信装置２００は、登録移動端末１２１と登録外移動端末１２２の競合処理として、たとえば以下の各ステップを実行する。まず、接続要求信号を受信したか否かを判断し（ステップＳ１５０１）、接続要求信号を受信するまで待つ（ステップＳ１５０１：Ｎｏのループ）。
【００８０】
ステップＳ１５０１において接続要求信号を受信すると（ステップＳ１５０１：Ｙｅｓ）、受信した接続要求信号の送信元が登録移動端末１２１であるか否かを判断する（ステップＳ１５０２）。登録移動端末１２１である場合（ステップＳ１５０２：Ｙｅｓ）は、フェムト基地局１１０の回線（最大同時接続数α−現在の接続数）に空きがあるか否かを判断する（ステップＳ１５０３）。
【００８１】
ステップＳ１５０３においてフェムト基地局１１０の回線に空きがある場合（ステップＳ１５０３：Ｙｅｓ）は、登録移動端末１２１のフェムト基地局１１０への接続処理を行い（ステップＳ１５０４）、一連の処理を終了する。フェムト基地局１１０の回線に空きがない場合（ステップＳ１５０３：Ｎｏ）は、フェムト基地局１１０と通信中の登録外移動端末１２２があるか否かを判断する（ステップＳ１５０５）。
【００８２】
ステップＳ１５０５において、フェムト基地局１１０と通信中の登録外移動端末１２２がない場合（ステップＳ１５０５：Ｎｏ）は、登録移動端末１２１の接続拒否処理を行い（ステップＳ１５０６）、一連の処理を終了する。フェムト基地局１１０と通信中の登録外移動端末１２２がある場合（ステップＳ１５０５：Ｙｅｓ）は、フェムト基地局１１０と通信中の登録外移動端末１２２をマクロ基地局１４０１にハンドオーバさせ（ステップＳ１５０７）、ステップＳ１５０４へ移行する。
【００８３】
ステップＳ１５０２において、接続要求信号の送信元が登録外移動端末１２２である場合（ステップＳ１５０２：Ｎｏ）は、ステップＳ１５０８へ移行する。図１５に示すステップＳ１５０８〜Ｓ１５１２は、図１１に示したステップＳ１１０４〜Ｓ１１０８と同様であるため説明を省略する。
【００８４】
以上の各ステップにより、登録移動端末１２１からの接続要求信号の受信時にフェムト基地局１１０の回線に空きがない場合に、フェムト基地局１１０と通信中の登録外移動端末１２２をマクロ基地局１４０１へ強制的にハンドオーバさせることができる。
【００８５】
図１６は、通信装置による競合処理の例１を示すシーケンス図である。まず、登録外移動端末１２２が、フェムト基地局１１０を経由してコアネットワーク１４０との間で通信中であるとする（ステップＳ１６０１）。つぎに、登録移動端末１２１が、接続要求信号（ＬＵ  ＲＥＱＵＥＳＴ）を送信する（ステップＳ１６０２）。ステップＳ１６０２によって送信された接続要求信号は、フェムト基地局１１０およびゲートウェイ１３０を介してＣＮ側通信装置１４１へ送信される。
【００８６】
つぎに、ＣＮ側通信装置１４１が、フェムト基地局１１０のアクセスリストに登録移動端末１２１が登録されているか否かを判断する（ステップＳ１６０３）。ここでは、フェムト基地局１１０のアクセスリストに登録外移動端末１２２が登録されていると判断される（登録あり）。つぎに、ＣＮ側通信装置１４１が、フェムト基地局１１０の回線に空きがあるか否かを判断する（ステップＳ１６０４）。ここでは、回線に空きがないと判断された場合について説明する（空きなし）。
【００８７】
つぎに、ＣＮ側通信装置１４１が、フェムト基地局１１０と通信中の登録外移動端末１２２があるか否かを判断する（ステップＳ１６０５）。ここでは、フェムト基地局１１０と通信中の登録外移動端末１２２があると判断される（あり）。つぎに、ＣＮ側通信装置１４１が、ハンドオーバ指示信号を送信（ＲＥＬＯＣＡＴＩＯＮ）する（ステップＳ１６０６）。ハンドオーバ指示信号は、ゲートウェイ１３０およびフェムト基地局１１０を介して登録外移動端末１２２へ送信される。
【００８８】
つぎに、登録外移動端末１２２が、フェムト基地局１１０からマクロ基地局１４０１へハンドオーバする（ステップＳ１６０７）。つぎに、ＣＮ側通信装置１４１が認証暗号化要求信号を送信する（ステップＳ１６０８）。認証暗号化要求信号は、ゲートウェイ１３０およびフェムト基地局１１０を介して登録移動端末１２１へ送信される。つぎに、登録移動端末１２１が、フェムト基地局１１０を経由してコアネットワーク１４０との間の通信を開始し（ステップＳ１６０９）、一連の処理を終了する。
【００８９】
＜競合処理の例２＞
図１７−１〜図１７−４は、通信装置による競合処理の例２を示す図である。図１７−１〜図１７−４において、図１４−１〜図１４−４に示した部分と同様の部分については同一の符号を付して説明を省略する。まず、図１７−１に示すように、登録移動端末１２１が、フェムト基地局１１０を経由する通信を行っているとする（符号１７１１）。
【００９０】
つぎに、図１７−２に示すように、登録外移動端末１２２が、フェムト基地局１１０のフェムトセル１１１へ進入し（符号１７２１）、フェムト基地局１１０を介して通信装置２００へ接続要求信号を送信したとする（符号１７２２）。そして、フェムト基地局１１０の回線に空き（最大同時接続数α−現在の接続数）がなかったとする。
【００９１】
この場合は、図１７−３に示すように、通信装置２００は、フェムト基地局１１０と通信中の登録移動端末１２１をマクロ基地局１４０１のハンドオーバさせる（符号１７３１）。そして、通信装置２００は、登録外移動端末１２２のフェムト基地局１１０への接続処理を行う。
【００９２】
これにより、図１７−４に示すように、登録外移動端末１２２がフェムト基地局１１０との間で通信中の状態になる（符号１７４１）。また、登録移動端末１２１がマクロ基地局１４０１との間で通信中の状態になる（符号１７４２）。
【００９３】
このように、通信装置２００は、登録外移動端末１２２からの接続要求信号の受信時にフェムト基地局１１０の回線に空きがない場合に、フェムト基地局１１０と通信中の登録移動端末１２１をマクロ基地局１４０１へ強制的にハンドオーバさせる。そして、通信装置２００は、登録外移動端末１２２のフェムト基地局１１０への接続処理を行う。
【００９４】
これにより、たとえば登録外移動端末１２２がマクロセル１４０２において十分な品質で通信を行えない場合に、登録外移動端末１２２がフェムト基地局１１０を使用して通信を行うことができる。このため、登録外移動端末１２２のユーザの利便性を向上させることができる。また、登録外移動端末１２２にフェムト基地局１１０を使用させることで、登録移動端末１２１のユーザへの還元を大きくすることができる。
【００９５】
また、通信装置２００は、図示しない品質取得部により、マクロセル１４０２（マクロ基地局１４０１の通信可能エリア）における登録移動端末１２１の通信品質を取得してもよい。そして、通信装置２００は、取得した通信品質が閾値未満の場合は登録移動端末１２１をハンドオーバさせないようにしてもよい。この場合は、通信装置２００は、登録外移動端末１２２の接続拒否処理を行う。これにより、強制的にハンドオーバさせられた登録移動端末１２１の通信品質が閾値未満に低下することを回避することができる。
【００９６】
マクロセル１４０２における登録移動端末１２１の通信品質は、たとえばマクロ基地局１４０１と登録移動端末１２１との間の伝搬品質である。通信装置２００の品質取得部は、たとえば、マクロセル１４０２における登録移動端末１２１の通信品質を示す情報を登録移動端末１２１またはマクロ基地局１４０１から受信する。
【００９７】
図１８は、通信装置による競合処理の例２を示すフローチャートである。通信装置２００は、登録移動端末１２１と登録外移動端末１２２の競合処理として、たとえば以下の各ステップを実行する。まず接続要求信号を受信したか否かを判断し（ステップＳ１８０１）、接続要求信号を受信するまで待つ（ステップＳ１８０１：Ｎｏのループ）。
【００９８】
ステップＳ１８０１において接続要求信号を受信すると（ステップＳ１８０１：Ｙｅｓ）、受信した接続要求信号の送信元が登録外移動端末１２２であるか否かを判断する（ステップＳ１８０２）。接続要求信号の送信元が登録移動端末１２１である場合（ステップＳ１８０２：Ｎｏ）は、登録移動端末１２１の接続処理を行い（ステップＳ１８０３）、一連の処理を終了する。
【００９９】
ステップＳ１８０２において、接続要求信号の送信元が登録外移動端末１２２である場合（ステップＳ１８０２：Ｙｅｓ）は、フェムト基地局１１０の回線（最大同時接続数α−現在の接続数）に空きがあるか否かを判断する（ステップＳ１８０４）。回線に空きがある場合（ステップＳ１８０４：Ｙｅｓ）は、ステップＳ１８０８へ移行する。回線に空きがない場合（ステップＳ１８０４：Ｎｏ）は、フェムト基地局１１０と通信中の登録移動端末１２１があるか否かを判断する（ステップＳ１８０５）。
【０１００】
ステップＳ１８０５において、フェムト基地局１１０と通信中の登録移動端末１２１がない場合（ステップＳ１８０５：Ｎｏ）は、ステップＳ１８０９へ移行する。フェムト基地局１１０と通信中の登録移動端末１２１がある場合（ステップＳ１８０５：Ｙｅｓ）は、マクロセル１４０２における登録移動端末１２１の通信品質が閾値以上か否かを判断する（ステップＳ１８０６）。
【０１０１】
ステップＳ１８０６において、マクロセル１４０２における登録移動端末１２１の通信品質が閾値未満である場合（ステップＳ１８０６：Ｎｏ）は、ステップＳ１８０９へ移行する。マクロセル１４０２における登録移動端末１２１の通信品質が閾値以上である場合（ステップＳ１８０６：Ｙｅｓ）は、登録移動端末１２１をマクロ基地局１４０１へハンドオーバさせる（ステップＳ１８０７）。
【０１０２】
図１８に示すステップＳ１８０８〜Ｓ１８１２は、図１１に示したステップＳ１１０４〜Ｓ１１０８と同様であるため説明を省略する。以上の各ステップにより、フェムト基地局１１０の回線に空きがない場合に、フェムト基地局１１０と通信中の登録移動端末１２１をマクロ基地局１４０１へ強制的にハンドオーバさせることができる。また、登録外移動端末１２２のフェムト基地局１１０への接続処理を行うことができる。また、マクロセル１４０２における登録移動端末１２１の通信品質が閾値未満の場合は登録移動端末１２１をハンドオーバさせないようにすることができる。
【０１０３】
図１９は、通信装置による競合処理の例２を示すシーケンス図である。まず、登録移動端末１２１が、フェムト基地局１１０を経由してコアネットワーク１４０との間で通信中であるとする（ステップＳ１９０１）。つぎに、登録外移動端末１２２が、接続要求信号（ＬＵ  ＲＥＱＵＥＳＴ）を送信する（ステップＳ１９０２）。ステップＳ１９０２によって送信された接続要求信号は、フェムト基地局１１０およびゲートウェイ１３０を介してＣＮ側通信装置１４１へ送信される。
【０１０４】
つぎに、ＣＮ側通信装置１４１が、フェムト基地局１１０のアクセスリストに登録外移動端末１２２が登録されているか否かを判断する（ステップＳ１９０３）。ここでは、フェムト基地局１１０のアクセスリストに登録外移動端末１２２が登録されていないと判断される（登録なし）。つぎに、ＣＮ側通信装置１４１が、フェムト基地局１１０の回線に空きがあるか否かを判断する（ステップＳ１９０４）。ここでは、回線に空きがないと判断された場合について説明する（空きなし）。
【０１０５】
つぎに、ＣＮ側通信装置１４１が、フェムト基地局１１０と通信中の登録移動端末１２１があるか否かを判断する（ステップＳ１９０５）。ここでは、フェムト基地局１１０と通信中の登録移動端末１２１があると判断される（あり）。つぎに、ＣＮ側通信装置１４１が、マクロセル１４０２における登録移動端末１２１の通信品質が閾値以上であるか否かを判断する（ステップＳ１９０６）。ここでは、登録移動端末１２１の通信品質が閾値以上であると判断された場合について説明する（閾値以上）。
【０１０６】
つぎに、ＣＮ側通信装置１４１が、ハンドオーバ指示信号を送信（ＲＥＬＯＣＡＴＩＯＮ）する（ステップＳ１９０７）。ハンドオーバ指示信号は、ゲートウェイ１３０およびフェムト基地局１１０を介して登録移動端末１２１へ送信される。つぎに、登録移動端末１２１が、フェムト基地局１１０からマクロ基地局１４０１へハンドオーバする（ステップＳ１９０８）。
【０１０７】
つぎに、ＣＮ側通信装置１４１が、認証暗号化要求信号を送信する（ステップＳ１９０９）。認証暗号化要求信号は、ゲートウェイ１３０およびフェムト基地局１１０を介して登録外移動端末１２２へ送信される。つぎに、登録外移動端末１２２が、フェムト基地局１１０を経由してコアネットワーク１４０との間の通信を開始し（ステップＳ１９１０）、一連の処理を終了する。
【０１０８】
（アクセスリストの動的変更）
図２０は、アクセスリストの動的変更のシーケンス図である。まず、フェムト基地局１１０の所有者Ａの設定端末２０１０が、フェムト基地局１１０のアクセスリストの更新要求信号をフェムト基地局１１０へ送信する（ステップＳ２００１）。更新要求信号には、フェムト基地局１１０の所有者Ａの認証情報が含まれている。所有者Ａの認証情報は、たとえばＩＤとパスワードの組み合わせである。
【０１０９】
つぎに、フェムト基地局１１０が、ステップＳ２００１によって設定端末２０１０から送信された更新要求信号をＣＮ側通信装置１４１へ送信する（ステップＳ２００２）。つぎに、ＣＮ側通信装置１４１が、所有者Ａ（フェムト基地局１１０）のアクセスリストをフェムト基地局１１０へ送信する（ステップＳ２００３）。つぎに、フェムト基地局１１０が、ステップＳ２００３によってＣＮ側通信装置１４１から送信されたアクセスリストを設定端末２０１０へ送信する（ステップＳ２００４）。
【０１１０】
つぎに、設定端末２０１０が、ステップＳ２００４によって送信されたアクセスリストを更新する（ステップＳ２００５）。アクセスリストの更新は、たとえば所有者Ａの操作によって行われる。つぎに、設定端末２０１０が、ステップＳ２００５によって更新されたアクセスリストをフェムト基地局１１０へ送信する（ステップＳ２００６）。
【０１１１】
つぎに、フェムト基地局１１０が、ステップＳ２００６によって設定端末２０１０から送信されたアクセスリストをＣＮ側通信装置１４１へ送信する（ステップＳ２００７）。ＣＮ側通信装置１４１は、ステップＳ２００７によって送信されたアクセスリストを所有者Ａのアクセスリストとして新たに記憶する。
【０１１２】
つぎに、設定端末２０１０が、ステップＳ２００６によって送信したアクセスリストをメモリから削除する（ステップＳ２００８）。また、フェムト基地局１１０が、ステップＳ２００７によって送信したアクセスリストをメモリから削除し（ステップＳ２００９）、一連の処理を終了する。このように、フェムト基地局１１０のアクセスリストを、フェムト基地局１１０の所有者が随時変更できるようにしてもよい。
【０１１３】
また、フェムト基地局１１０の所有者からの更新要求信号に対して、認証を行うとともに、フェムト基地局１１０の所有者のアクセスリストのみを設定端末２０１０へ送信して更新させる。これにより、他のユーザのアクセスリストの漏洩を回避し、セキュリティを向上させることができる。
【０１１４】
（登録ユーザの在圏の有無による登録外ユーザの接続許可）
図２１は、登録ユーザの在圏の有無による登録外ユーザの接続許可を示すシーケンス図である。図２１に示すホームロケーションレジスタ２１１０（ＨＬＲ：Ｈｏｍｅ  Ｌｏｃａｔｉｏｎ  Ｒｅｇｉｓｔｅｒ）は、コアネットワーク１４０に設けられ、ＣＮ側通信装置１４１の位置登録情報を管理する通信装置である。まず、通信装置２００が、登録移動端末１２１がフェムト基地局１１０の周辺マクロセルに在圏しているか否かを示す在圏情報を要求する在圏情報要求信号をホームロケーションレジスタ２１１０へ送信する（ステップＳ２１０１）。フェムト基地局１１０の周辺マクロセルは、フェムト基地局１１０が所属する位置登録エリアである。
【０１１５】
つぎに、ホームロケーションレジスタ２１１０が、登録移動端末１２１の在圏情報を通信装置２００に送信する（ステップＳ２１０２）。以上の各ステップを定期的（たとえば１秒、１０秒または１００秒ごと）に行うことで、通信装置２００が、登録移動端末１２１の在圏情報を定期的に得ることができる。また、通信装置２００は、たとえばフェムト基地局１１０に問い合わせることによって、登録移動端末１２１がフェムトセル１１１に在圏しているか否かを示す在圏情報を取得することができる。
【０１１６】
通信装置２００は、登録移動端末１２１の在圏情報に応じて、開放モードと非開放モードとを切り替える（図２２参照）。開放モードにおいては、通信装置２００は、登録外移動端末１２２からの接続要求信号を受信した場合に登録外移動端末１２２のフェムト基地局１１０への接続処理を行う。一方、非開放モードにおいては、通信装置２００は、登録外移動端末１２２からの接続要求信号を受信しても接続処理を行わない。
【０１１７】
図２２は、登録ユーザの在圏の有無による登録外ユーザの接続許可を示すフローチャートである。通信装置２００は、以下の各ステップを実行する。まず、初期状態としてモードを非開放モードに設定する（ステップＳ２２０１）。つぎに、所定時間待機する（ステップＳ２２０２）。つぎに、フェムトセル１１１または周辺マクロセル（位置登録セル）に登録移動端末１２１が在圏しているか否かを判断する（ステップＳ２２０３）。
【０１１８】
ステップＳ２２０３において、フェムトセル１１１または周辺マクロセルに登録移動端末１２１が在圏している場合（ステップＳ２２０３：Ｙｅｓ）は、ステップＳ２２０２へ戻る。この場合は、通信装置２００は非開放モードのままとなる。フェムトセル１１１または周辺マクロセルに登録移動端末１２１が在圏していない場合（ステップＳ２２０３：Ｎｏ）は、モードを開放モードに設定する（ステップＳ２２０４）。
【０１１９】
つぎに、所定時間待機する（ステップＳ２２０５）。つぎに、フェムトセル１１１または周辺マクロセルに登録移動端末１２１が在圏しているか否かを判断する（ステップＳ２２０６）。フェムトセル１１１または周辺マクロセルに登録移動端末１２１が在圏している場合（ステップＳ２２０６：Ｙｅｓ）は、ステップＳ２２０１へ戻る。フェムトセル１１１または周辺マクロセルに登録移動端末１２１が在圏していない場合（ステップＳ２２０６：Ｎｏ）は、登録移動端末１２１からの位置登録要求信号（接続要求信号）を受信したか否かを判断する（ステップＳ２２０７）。
【０１２０】
ステップＳ２２０７において、位置登録要求信号（接続要求信号）を受信した場合（ステップＳ２２０７：Ｙｅｓ）は、ステップＳ２２０１へ戻る。位置登録要求信号（接続要求信号）を受信していない場合（ステップＳ２２０７：Ｎｏ）は、ステップＳ２２０５へ戻る。以上の各ステップにより、登録移動端末１２１がフェムトセル１１１または周辺マクロセルに在圏している場合は接続処理を行わないようにすることができる。
【０１２１】
このように、通信装置２００は、フェムト基地局１１０のフェムトセル１１１における登録移動端末１２１の在圏状況を示す在圏情報を取得する。そして、通信装置２００は、登録移動端末１２１がフェムトセル１１１に在圏していない場合は、登録外移動端末１２２のフェムト基地局１１０への接続処理を行う。一方、通信装置２００は、登録移動端末１２１がフェムトセル１１１に在圏している場合は接続処理を行わない。
【０１２２】
また、通信装置２００は、フェムト基地局１１０の周辺マクロセル（位置登録エリア）における登録移動端末１２１の在圏状況を示す在圏情報を取得する。そして、通信装置２００は、登録移動端末１２１が周辺マクロセルに在圏していない場合は、登録外移動端末１２２のフェムト基地局１１０への接続処理を行う。一方、通信装置２００は、登録移動端末１２１が周辺マクロセルに在圏している場合は接続処理を行わない。
【０１２３】
これにより、登録移動端末１２１がフェムト基地局１１０へ接続する可能性が高い場合に登録移動端末１２１の回線を確保することができる。一方、登録移動端末１２１がフェムト基地局１１０へ接続する可能性が低い場合にフェムト基地局１１０を登録外移動端末１２２に使用させることができる。
【０１２４】
（迷惑ユーザの接続拒否）
通信装置２００の条件記憶部２５０は、フェムト基地局１１０への接続を拒否する拒否移動端末を記憶していてもよい。そして、接続処理部は、条件記憶部２５０に記憶された拒否移動端末については、接続要求信号を受信しても接続処理を行わない。これにより、リソースを常に占有するような迷惑ユーザを拒否移動端末として条件記憶部２５０に記憶しておくことで、迷惑ユーザを接続不可能とすることができる。
【０１２５】
（通信装置をフェムト基地局に適用する場合）
つぎに、通信装置２００をフェムト基地局１１０に適用する場合について説明する。
【０１２６】
＜登録外ユーザの接続処理＞
図２３は、登録外ユーザの接続許可の処理例を示すシーケンス図である。まず、登録外移動端末１２２がフェムト基地局１１０との間でＲＲＣ接続（Ｒａｄｉｏ  Ｒｅｓｏｕｒｃｅ  Ｃｏｎｔｒｏｌ  Ｃｏｎｎｅｃｔｉｏｎ）を確立する（ステップＳ２３０１）。つぎに、登録外移動端末１２２がフェムト基地局１１０へ接続要求信号（ＬＵ  ＲＥＱＵＥＳＴ）を送信する（ステップＳ２３０２）。
【０１２７】
つぎに、フェムト基地局１１０が、フェムト基地局１１０のアクセスリストに登録外移動端末１２２が登録されているか否かを判断する（ステップＳ２３０３）。ここでは、フェムト基地局１１０は、フェムト基地局１１０のアクセスリストに登録外移動端末１２２が登録されていないと判断する（登録なし）。
【０１２８】
つぎに、フェムト基地局１１０が、現在が一般開放時間（たとえば図３参照）か否かを判断する（ステップＳ２３０４）。ここでは、現在が一般開放時間である（一般開放時間内）場合について説明する。つぎに、フェムト基地局１１０が、認証暗号化要求信号（Ａｕｔｈｅｎｔｉｃａｔｉｏｎ  ａｎｄ  Ｃｉｐｈｅｒｉｎｇ  Ｒｅｑｕｅｓｔ）を登録外移動端末１２２へ送信する（ステップＳ２３０５）。
【０１２９】
つぎに、登録外移動端末１２２が、コアネットワーク１４０との間の通信を開始する（ステップＳ２３０６）。つぎに、フェムト基地局１１０が、登録外移動端末１２２によるフェムト基地局１１０の使用状況の計測を開始し（ステップＳ２３０７）、一連の処理を終了する。ステップＳ２３０７においては、フェムト基地局１１０は、ステップＳ２３０６によって開始された通信の通信量の計測を開始する。
【０１３０】
ここでは、ステップＳ２３０６において、登録外移動端末１２２がコアネットワーク１４０との間の通信を開始する場合について説明したが、登録外移動端末１２２の通信先はコアネットワーク１４０に限らない。たとえば、登録外移動端末１２２の通信先は、ゲートウェイ１３０と同一のＬＡＮ内の他の通信装置でもよい。
【０１３１】
図２４は、登録外ユーザの接続拒否の処理例を示すシーケンス図である。図２４に示すステップＳ２４０１〜Ｓ２４０４は、図２３に示したステップＳ２３０１〜Ｓ２３０４と同様であるため説明を省略する。ただし、ここでは、ステップＳ２４０４において、現在が一般開放時間でない（一般開放時間外）と判断された場合について説明する。
【０１３２】
この場合は、ステップＳ２４０４のつぎに、フェムト基地局１１０が、ステップＳ２４０１によって登録外移動端末１２２との間で確立したＲＲＣ接続を解放し（ステップＳ２４０５）、一連の処理を終了する。図２３および図２４に示したように、通信装置２００をフェムト基地局１１０に適用する場合は、登録外移動端末１２２とフェムト基地局１１０との間で直接接続処理を行う。
【０１３３】
その他、通信装置２００をフェムト基地局１１０に適用する場合の通信装置２００の機能は、通信装置２００をＣＮ側通信装置１４１またはゲートウェイ１３０に適用する場合と同様である。
【０１３４】
このように、実施の形態にかかる通信装置２００は、登録外移動端末１２２のフェムト基地局１１０への接続を許可するとともに、登録外移動端末１２２によるフェムト基地局１１０の使用状況を計測して計測結果を送信する。これにより、登録外移動端末１２２によるフェムト基地局１１０の使用状況に応じて、フェムト基地局１１０の所有者への還元が可能になり、フェムト基地局１１０の普及を図ることができる。
【０１３５】
これにより、フェムト基地局１１０を設置するユーザの負担を軽減し、フェムト基地局１１０の普及を図ることができる。また、登録外移動端末１２２のフェムト基地局１１０への接続を許可することで、登録外移動端末１２２のユーザの利便性を向上させることができる。また、フェムト基地局１１０の普及を図ることで、マクロ基地局によるマクロセルでカバーできないエリアを効率よく補完することができる。
【０１３６】
なお、上述した実施の形態においては、各移動端末のうちの登録外移動端末１２２によるフェムト基地局１１０の使用状況を計測し、登録移動端末１２１によるフェムト基地局１１０の使用状況は計測しない構成について説明した。
【０１３７】
これに対して、登録移動端末１２１および登録外移動端末１２２によるフェムト基地局１１０の使用状況を計測する構成にしてもよい。この場合は、通信装置２００は、登録移動端末１２１および登録外移動端末１２２の計測結果のうちの登録外移動端末１２２の計測結果を送信する。または、通信装置２００は、登録外移動端末１２２の計測結果を登録移動端末１２１の計測結果と区別して送信する。これにより、登録外移動端末１２２によるフェムト基地局１１０の使用状況に応じて、フェムト基地局１１０の所有者への還元が可能になる。
【０１３８】
以上説明したように、通信装置、基地局および通信方法によれば、フェムト基地局の普及を図ることができる。
【０１３９】
上述した実施の形態に関し、さらに以下の付記を開示する。
【０１４０】
（付記１）基地局に登録された登録移動端末を示す登録情報を記憶する登録情報記憶部と、
前記登録情報記憶部によって記憶されていない登録外移動端末からの接続要求信号に基づいて前記登録外移動端末の前記基地局への接続処理を行う接続処理部と、
前記接続処理部によって接続処理が行われた登録外移動端末による前記基地局の使用状況を計測する計測部と、
前記計測部による計測結果を他の通信装置へ送信する送信部と、
を備えることを特徴とする通信装置。
【０１４１】
（付記２）前記他の通信装置は、前記基地局の管理を行う事業者の通信装置であることを特徴とする付記１に記載の通信装置。
【０１４２】
（付記３）前記登録外移動端末の接続を許可する開放期間を記憶する条件記憶部を備え、
前記接続処理部は、前記条件記憶部によって記憶された開放期間とは異なる期間においては前記接続処理を行わないことを特徴とする付記１に記載の通信装置。
【０１４３】
（付記４）前記登録外移動端末の同時接続を許可する接続許可数を記憶する条件記憶部を備え、
前記接続処理部は、前記基地局へ接続中の前記登録外移動端末の数が、前記条件記憶部によって記憶された接続許可数に達している場合は前記接続処理を行わないことを特徴とする付記１に記載の通信装置。
【０１４４】
（付記５）前記条件記憶部は、期間ごとの前記接続許可数を記憶し、
前記接続処理部は、前記基地局へ接続中の前記登録外移動端末の数が、前記接続許可数のうちの現在期間に対応する接続許可数に達している場合は前記接続処理を行わないことを特徴とする付記４に記載の通信装置。
【０１４５】
（付記６）前記登録外移動端末の接続を許可する開放期間を前記登録移動端末ごとに入力する入力部と、
前記入力部によって入力された前記登録移動端末ごとの開放期間に基づいて前記期間ごとの接続許可数を決定する決定部と、を備え、
前記条件記憶部は、前記決定部によって決定された前記期間ごとの接続許可数を記憶することを特徴とする付記５に記載の通信装置。
【０１４６】
（付記７）前記登録移動端末による前記基地局の使用履歴を示す履歴情報を前記登録移動端末ごとに取得する履歴取得部と、
前記履歴取得部によって取得された前記登録移動端末ごとの履歴情報に基づいて前記期間ごとの接続許可数を決定する決定部と、を備え、
前記条件記憶部は、前記決定部によって決定された前記期間ごとの接続許可数を記憶することを特徴とする付記５に記載の通信装置。
【０１４７】
（付記８）前記接続処理部は、前記基地局の回線に空きがない場合に、前記基地局と通信中の前記登録外移動端末を他の基地局へハンドオーバさせ、前記登録移動端末の前記基地局への接続処理を行うことを特徴とする付記１に記載の通信装置。
【０１４８】
（付記９）前記接続処理部は、前記基地局の回線に空きがない場合に、前記基地局と通信中の前記登録移動端末を他の基地局へハンドオーバさせ、前記登録外移動端末の前記基地局への接続処理を行うことを特徴とする付記１に記載の通信装置。
【０１４９】
（付記１０）前記他の基地局の通信可能エリアにおける前記登録移動端末の通信品質を取得する品質取得部を備え、
前記接続処理部は、前記品質取得部によって取得された通信品質が閾値以上である場合に前記登録移動端末を前記他の基地局へハンドオーバさせることを特徴とする付記９に記載の通信装置。
【０１５０】
（付記１１）前記基地局の通信可能エリアにおける前記登録移動端末の在圏状況を示す在圏情報を取得する在圏情報取得部を備え、
前記接続処理部は、前記在圏情報取得部によって取得された在圏情報に基づいて、前記登録移動端末が前記通信可能エリアに在圏している場合は前記接続処理を行わないことを特徴とする付記１に記載の通信装置。
【０１５１】
（付記１２）前記基地局が属する位置登録エリアにおける前記登録移動端末の在圏状況を取得する在圏情報取得部を備え、
前記接続処理部は、前記在圏情報取得部によって取得された在圏情報に基づいて、前記登録移動端末が前記位置登録エリアに在圏している場合は前記接続処理を行わないことを特徴とする付記１に記載の通信装置。
【０１５２】
（付記１３）前記基地局への接続を拒否する拒否移動端末を記憶する条件記憶部を備え、
前記接続処理部は、前記条件記憶部に記憶された拒否移動端末については前記接続処理を行わないことを特徴とする付記１に記載の通信装置。
【０１５３】
（付記１４）自局の登録移動端末を示す登録情報を記憶する条件記憶部と、
前記条件記憶部によって記憶されていない登録外移動端末からの接続要求信号に基づいて前記登録外移動端末の自局への接続処理を行う接続処理部と、
前記接続処理部によって接続処理が行われた登録外移動端末による自局の使用状況を計測する計測部と、
前記計測部による計測結果を他の通信装置へ送信する送信部と、
を備えることを特徴とする基地局。
【０１５４】
（付記１５）基地局に登録された登録移動端末を示す登録情報を記憶する記憶工程と、
前記記憶工程によって記憶されていない登録外移動端末からの接続要求信号に基づいて前記登録外移動端末の前記基地局への接続処理を行う接続処理工程と、
前記接続処理工程によって接続処理が行われた登録外移動端末による前記基地局の使用状況を計測する計測工程と、
前記計測工程による計測結果を他の通信装置へ送信する送信工程と、
を含むことを特徴とする通信方法。
【符号の説明】
【０１５５】
１００  通信システム
１１０  フェムト基地局
１１１  フェムトセル
１２１  登録移動端末
１２２  登録外移動端末
１３０  ゲートウェイ
１４０  コアネットワーク
１４０１  マクロ基地局
１４０２  マクロセル
【国際調査報告】
2011114497.tif 000033
2011114497.tif 000034
2011114497.tif 000035
2011114497.tif 000036